(57)【要約】  本開示の態様によれば、ワイヤレス通信のための方法、装置およびコンピュータプログラム製品が提供される。本方法、装置およびコンピュータプログラム製品は、一実装形態では、ダウンリンク許可情報およびアップリンク許可情報の各々につき別個の制御チャネルを提供し、識別子で制御チャネルを復号するように構成された受信ノードにのみ知られている識別子で制御チャネルを符号化し、識別子が受信ノードに知られているという情報を受信ノードに伝達するように構成され得る。本方法、装置およびコンピュータプログラム製品は、一実装形態では、共通制御リソースに関係する共通探索空間の４未満のアグリゲーションレベルを決定し、アグリゲーションレベルによる連続する制御チャネル要素を含む共通探索空間における１つまたは複数の候補から制御データを受信するように構成され得る。【選択図】  図８Ａ
2013530626.tif 000002
【特許請求の範囲】
【請求項１】
ワイヤレス通信のための方法であって、
ダウンリンク許可情報およびアップリンク許可情報の各々につき別個の制御チャネルを提供することと、
識別子で前記制御チャネルを復号するように構成された受信ノードにのみ知られている前記識別子で前記制御チャネルを符号化することと、
前記識別子が前記受信ノードに知られているという情報を前記受信ノードに伝達することと、
を備える方法。
【請求項２】
前記識別子は、媒体アクセス制御識別子または無線ネットワーク一時識別子を備える、請求項１に記載の方法。
【請求項３】
複数のリソースブロックにわたって前記制御チャネルをスパンすることと、
前記制御チャネルのスパン情報を前記受信ノードに伝達することと、
をさらに備える、請求項１に記載の方法。
【請求項４】
複数のリソースブロックにわたって前記制御チャネルをインターリーブすることと、
前記制御チャネルのインターリーブ情報を前記受信ノードに伝達することと、
をさらに備える、請求項１に記載の方法。
【請求項５】
前記ダウンリンク許可情報の前記制御チャネルをインターリーブすることは、前記アップリンク許可情報の前記制御チャネルをインターリーブすることに関係する、請求項４に記載の方法。
【請求項６】
リソースブロックの異なるスパンにわたって各制御チャネルを別個にインターリーブすることと、
前記受信ノードが、前記制御チャネルの１つまたは複数のスパン構成に関する仮説検定を介して前記スパンをブラインド状態で決定できるように、リソースブロックの異なる各スパンについて、前記別個のインターリービングに関係する情報を含む前記制御チャネルのインターリーブ情報を前記受信ノードに伝達することと、
をさらに備える、請求項１に記載の方法。
【請求項７】
各制御チャネルの複数のリソースブロックをアグリゲートすることと、
前記制御チャネルのアグリゲート情報を前記受信ノードに伝達することと
をさらに備える、請求項１に記載の方法。
【請求項８】
選択された順序により前記ダウンリンク許可情報と前記アップリンク許可情報とをマッピングすることをさらに備え、前記ダウンリンクおよびアップリンク許可情報は別個のリソースブロックにマッピングされ、前記ダウンリンク許可情報のリソースブロック内でリソース空間が利用可能である場合に、前記アップリンク許可情報のリソース空間が利用された後、前記ダウンリンク許可情報の前記リソースブロック内の前記利用可能なリソース空間に前記アップリンク許可情報がマッピングされる、請求項１に記載の方法。
【請求項９】
前記ダウンリンク許可情報はサブフレームの第１のスロットにおいて送信され、前記アップリンク許可情報は前記サブフレームの第２のスロットにおいて送信される、請求項１に記載の方法。
【請求項１０】
前記ダウンリンク許可情報は、物理リソースブロックペアの第１の物理リソースブロックで送信され、前記アップリンク許可情報は、前記物理リソースブロックペアの第２の物理リソースブロックで送信される、請求項１に記載の方法。
【請求項１１】
ワイヤレス通信のための装置であって、
ダウンリンク許可情報およびアップリンク許可情報の各々につき別個の制御チャネルを提供し、
識別子で前記制御チャネルを復号するように構成された受信ノードにのみ知られている前記識別子で前記制御チャネルを符号化し、
前記識別子が前記受信ノードに知られているという情報を前記受信ノードに伝達する、
ように構成された処理システム、
を備える装置。
【請求項１２】
前記識別子は、媒体アクセス制御識別子または無線ネットワーク一時識別子を備える、請求項１１に記載の装置。
【請求項１３】
複数のリソースブロックにわたって前記制御チャネルをスパンすることと、
前記制御チャネルのスパン情報を前記受信ノードに伝達することと、
をさらに備える、請求項１１に記載の装置。
【請求項１４】
複数のリソースブロックにわたって前記制御チャネルをインターリーブすることと、
前記制御チャネルのインターリーブ情報を前記受信ノードに伝達することと、
をさらに備える、請求項１１に記載の装置。
【請求項１５】
前記ダウンリンク許可情報の前記制御チャネルをインターリーブすることは、前記アップリンク許可情報の前記制御チャネルをインターリーブすることに関係する、請求項１４に記載の装置。
【請求項１６】
リソースブロックの異なるスパンにわたって各制御チャネルを別個にインターリーブすることと、
前記受信ノードが、前記制御チャネルの１つまたは複数のスパン構成に関する仮説検定を介して前記スパンをブラインド状態で決定できるように、リソースブロックの異なる各スパンについて、前記別個のインターリービングに関係する情報を含む前記制御チャネルのインターリーブ情報を、前記受信ノードに伝達することと、
をさらに備える、請求項１１に記載の装置。
【請求項１７】
各制御チャネルの複数のリソースブロックをアグリゲートすることと、
前記制御チャネルのアグリゲート情報を前記受信ノードに伝達することと、
をさらに備える、請求項１１に記載の装置。
【請求項１８】
選択された順序により前記ダウンリンク許可情報と前記アップリンク許可情報とをマッピングすることをさらに備え、前記ダウンリンクおよびアップリンク許可情報は別個のリソースブロックにマッピングされ、前記ダウンリンク許可情報のリソースブロック内でリソース空間が利用可能である場合に、前記アップリンク許可情報のリソース空間が利用された後、前記ダウンリンク許可情報の前記リソースブロック内の前記利用可能なリソース空間に前記アップリンク許可情報がマッピングされる、請求項１１に記載の装置。
【請求項１９】
前記ダウンリンク許可情報はサブフレームの第１のスロットにおいて送信され、前記アップリンク許可情報は前記サブフレームの第２のスロットにおいて送信される、請求項１１に記載の装置。
【請求項２０】
前記ダウンリンク許可情報は、物理リソースブロックペアの第１の物理リソースブロックで送信され、前記アップリンク許可情報は、前記物理リソースブロックペアの第２の物理リソースブロックで送信される、請求項１１に記載の装置。
【請求項２１】
ワイヤレス通信のための装置であって、
ダウンリンク許可情報およびアップリンク許可情報の各々につき別個の制御チャネルを提供するための手段と、
識別子で前記制御チャネルを復号するように構成された受信ノードにのみ知られている前記識別子で前記制御チャネルを符号化するための手段と、
前記識別子が前記受信ノードに知られているという情報を前記受信ノードに伝達するための手段と、
を備える装置。
【請求項２２】
前記識別子は、媒体アクセス制御識別子または無線ネットワーク一時識別子を備える、請求項２１に記載の装置。
【請求項２３】
複数のリソースブロックにわたって前記制御チャネルをスパンすることと、
前記制御チャネルのスパン情報を前記受信ノードに伝達することと、
をさらに備える、請求項２１に記載の装置。
【請求項２４】
複数のリソースブロックにわたって前記制御チャネルをインターリーブすることと、
前記制御チャネルのインターリーブ情報を前記受信ノードに伝達することと、
をさらに備える、請求項２１に記載の装置。
【請求項２５】
前記ダウンリンク許可情報の前記制御チャネルをインターリーブすることは、前記アップリンク許可情報の前記制御チャネルをインターリーブすることに関係する、請求項２４に記載の装置。
【請求項２６】
リソースブロックの異なるスパンにわたって各制御チャネルを別個にインターリーブすることと、
前記受信ノードが、前記制御チャネルの１つまたは複数のスパン構成に関する仮説検定を介してスパンをブラインド状態で決定できるように、リソースブロックの異なる各スパンについて、前記別個のインターリービングに関係する情報を含む前記制御チャネルのインターリーブ情報を前記受信ノードに伝達することと、
をさらに備える、請求項２１に記載の装置。
【請求項２７】
各制御チャネルの複数のリソースブロックをアグリゲートすることと、
前記制御チャネルのアグリゲート情報を前記受信ノードに伝達することと、
をさらに備える、請求項２１に記載の装置。
【請求項２８】
選択された順序により前記ダウンリンク許可情報と前記アップリンク許可情報とをマッピングすることをさらに備え、前記ダウンリンクおよびアップリンク許可情報は別個のリソースブロックにマッピングされ、前記ダウンリンク許可情報のリソースブロック内でリソース空間が利用可能である場合に、前記アップリンク許可情報のリソース空間が利用された後、前記ダウンリンク許可情報の前記リソースブロック内の前記利用可能なリソース空間に前記アップリンク許可情報がマッピングされる、請求項２１に記載の装置。
【請求項２９】
前記ダウンリンク許可情報はサブフレームの第１のスロットにおいて送信され、前記アップリンク許可情報は前記サブフレームの第２のスロットにおいて送信される、請求項２１に記載の装置。
【請求項３０】
前記ダウンリンク許可情報は、物理リソースブロックペアの第１の物理リソースブロックで送信され、前記アップリンク許可情報は、前記物理リソースブロックペアの第２の物理リソースブロックで送信される、請求項２１に記載の装置。
【請求項３１】
コンピュータプログラム製品であって、実行可能なコードを備えるコンピュータ可読媒体を備え、
前記実行可能なコードは、装置に、
ダウンリンク許可情報およびアップリンク許可情報の各々につき別個の制御チャネルを提供させ、
識別子で前記制御チャネルを復号するように構成された受信ノードにのみ知られている前記識別子で前記制御チャネルを符号化させ、
前記識別子が前記受信ノードに知られているという情報を前記受信ノードに伝達させる、
コンピュータプログラム製品。
【請求項３２】
ワイヤレス通信のための方法であって、
ダウンリンク許可情報およびアップリンク許可情報の各々につき別個の制御チャネルを受信することと、
知られている識別子で前記制御チャネルを復号することと、
前記制御チャネルの１つまたは複数のスパン構成に関するブラインド仮説検定を介して前記制御チャネルのスパンを決定することと、
を備える方法。
【請求項３３】
前記識別子は、媒体アクセス制御識別子または無線ネットワーク一時識別子を備える、請求項３２に記載の方法。
【請求項３４】
前記制御チャネルの前記スパンは、複数のリソースブロックにわたってスパンすると決定される、請求項３２に記載の方法。
【請求項３５】
複数のリソースブロックにわたる前記制御チャネルのインターリービングを決定すること、をさらに備える請求項３２に記載の方法。
【請求項３６】
前記ダウンリンク許可情報の前記制御チャネルの前記インターリービングは、前記アップリンク許可情報の前記制御チャネルのインターリービングに関係する、請求項３５に記載の方法。
【請求項３７】
リソースブロックの異なるスパンにわたる各制御チャネルの別個のインターリービングを決定することをさらに備える、請求項３２に記載の方法。
【請求項３８】
各制御チャネルの複数のリソースブロックのアグリゲーションを決定すること、をさらに備える請求項３２に記載の方法。
【請求項３９】
選択された順序による前記ダウンリンク許可情報と前記アップリンク許可情報のマッピングを決定することをさらに備え、前記ダウンリンクおよびアップリンク許可情報は別個のリソースブロックにマッピングされ、前記ダウンリンク許可情報のリソースブロック内でリソース空間が利用可能である場合に、前記アップリンク許可情報のリソース空間が利用された後、前記ダウンリンク許可情報の前記リソースブロック内の前記利用可能なリソース空間に前記アップリンク許可情報がマッピングされる、請求項３２に記載の方法。
【請求項４０】
前記ダウンリンク許可情報はサブフレームの第１のスロットにおいて受信され、前記アップリンク許可情報は前記サブフレームの第２のスロットにおいて受信される、請求項３２に記載の方法。
【請求項４１】
前記ダウンリンク許可情報は、物理リソースブロックペアの第１の物理リソースブロックで受信され、前記アップリンク許可情報は、前記物理リソースブロックペアの第２の物理リソースブロックで受信される、請求項３２に記載の方法。
【請求項４２】
ワイヤレス通信のための装置であって、
ダウンリンク許可情報およびアップリンク許可情報の各々につき別個の制御チャネルを受信し、
知られている識別子で前記制御チャネルを復号し、
前記制御チャネルの１つまたは複数のスパン構成に関するブラインド仮説検定を介して前記制御チャネルのスパンを決定する、
ように構成された処理システム、
を備える装置。
【請求項４３】
前記識別子は、媒体アクセス制御識別子または無線ネットワーク一時識別子を備える、請求項４２に記載の装置。
【請求項４４】
前記制御チャネルの前記スパンは、複数のリソースブロックにわたってスパンすると決定される、請求項４２に記載の装置。
【請求項４５】
複数のリソースブロックにわたる前記制御チャネルのインターリービングを決定すること、をさらに備える請求項４２に記載の装置。
【請求項４６】
前記ダウンリンク許可情報の前記制御チャネルの前記インターリービングは、前記アップリンク許可情報の前記制御チャネルのインターリービングに関係する、請求項４５に記載の装置。
【請求項４７】
リソースブロックの異なるスパンにわたる各制御チャネルの別個のインターリービングを決定すること、をさらに備える請求項４２に記載の装置。
【請求項４８】
各制御チャネルの複数のリソースブロックのアグリゲーションを決定すること、をさらに備える請求項４２に記載の装置。
【請求項４９】
選択された順序による前記ダウンリンク許可情報と前記アップリンク許可情報のマッピングを決定することをさらに備え、前記ダウンリンクおよびアップリンク許可情報は別個のリソースブロックにマッピングされ、前記ダウンリンク許可情報のリソースブロック内でリソース空間が利用可能である場合に、前記アップリンク許可情報のリソース空間が利用された後、前記ダウンリンク許可情報の前記リソースブロック内の前記利用可能なリソース空間に前記アップリンク許可情報がマッピングされる、請求項４２に記載の装置。
【請求項５０】
前記ダウンリンク許可情報はサブフレームの第１のスロットにおいて受信され、前記アップリンク許可情報は前記サブフレームの第２のスロットにおいて受信される、請求項４２に記載の装置。
【請求項５１】
前記ダウンリンク許可情報は、物理リソースブロックペアの第１の物理リソースブロックで受信され、前記アップリンク許可情報は、前記物理リソースブロックペアの第２の物理リソースブロックで受信される、請求項４２に記載の装置。
【請求項５２】
ワイヤレス通信のための装置であって、
ダウンリンク許可情報およびアップリンク許可情報の各々につき別個の制御チャネルを受信するための手段と、
知られている識別子で前記制御チャネルを復号するための手段と、
前記制御チャネルの１つまたは複数のスパン構成に関するブラインド仮説検定を介して前記制御チャネルのスパンを決定するための手段と、
を備える装置。
【請求項５３】
前記識別子は、媒体アクセス制御識別子または無線ネットワーク一時識別子を備える、請求項５２に記載の装置。
【請求項５４】
前記制御チャネルの前記スパンは、複数のリソースブロックにわたってスパンすると決定される、請求項５２に記載の装置。
【請求項５５】
複数のリソースブロックにわたる前記制御チャネルのインターリービングを決定すること、をさらに備える請求項５２に記載の装置。
【請求項５６】
前記ダウンリンク許可情報の前記制御チャネルの前記インターリービングは、前記アップリンク許可情報の前記制御チャネルのインターリービングに関係する、請求項５５に記載の装置。
【請求項５７】
リソースブロックの異なるスパンにわたる各制御チャネルの別個のインターリービングを決定すること、をさらに備える請求項５２に記載の装置。
【請求項５８】
各制御チャネルの複数のリソースブロックのアグリゲーションを決定すること、をさらに備える請求項５２に記載の装置。
【請求項５９】
選択された順序による前記ダウンリンク許可情報と前記アップリンク許可情報のマッピングを決定することをさらに備え、前記ダウンリンクおよびアップリンク許可情報は別個のリソースブロックにマッピングされ、前記ダウンリンク許可情報のリソースブロック内でリソース空間が利用可能である場合に、前記アップリンク許可情報のリソース空間が利用された後、前記ダウンリンク許可情報の前記リソースブロック内の前記利用可能なリソース空間に前記アップリンク許可情報がマッピングされる、請求項５２に記載の装置。
【請求項６０】
前記ダウンリンク許可情報はサブフレームの第１のスロットにおいて受信され、前記アップリンク許可情報は前記サブフレームの第２のスロットにおいて受信される、請求項５２に記載の装置。
【請求項６１】
前記ダウンリンク許可情報は、物理リソースブロックペアの第１の物理リソースブロックで受信され、前記アップリンク許可情報は、前記物理リソースブロックペアの第２の物理リソースブロックで受信される、請求項５２に記載の装置。
【請求項６２】
コンピュータプログラム製品であって、実行可能なコードを備えるコンピュータ可読媒体を備え、
前記実行可能なコードは、装置に、
ダウンリンク許可情報およびアップリンク許可情報の各々につき別個の制御チャネルを受信させ、
知られている識別子で前記制御チャネルを復号させ、
前記制御チャネルの１つまたは複数のスパン構成に関するブラインド仮説検定を介して前記制御チャネルのスパンを決定させる、
コンピュータプログラム製品。
【請求項６３】
ワイヤレス通信のための方法であって、
共通制御リソースに関係する共通探索空間の４未満のアグリゲーションレベルを決定することと、
前記アグリゲーションレベルによる連続する制御チャネル要素を含む前記共通探索空間における１つまたは複数の候補から制御データを受信することと、
を備える方法。
【請求項６４】
前記候補は、前記共通探索空間内で連続する、請求項６３に記載の方法。
【請求項６５】
前記候補は、前記共通探索空間内で連続しない、請求項６３に記載の方法。
【請求項６６】
共通制御リソースでワイヤレスデバイスに制御データを通信するための４未満の前記アグリゲーションレベルを選択することと、
前記アグリゲーションレベルによる前記共通探索空間における前記連続する制御チャネル要素を含む１つまたは複数の候補において前記ワイヤレスデバイスに制御データを送信することと、
をさらに備える請求項６３に記載の方法。
【請求項６７】
前記共通探索空間は、上限１６個の制御チャネル要素を備える、請求項６３に記載の方法。
【請求項６８】
ワイヤレス通信のための装置であって、
共通制御リソースに関係する共通探索空間の４未満のアグリゲーションレベルを決定し、
前記アグリゲーションレベルによる連続する制御チャネル要素を含む前記共通探索空間における１つまたは複数の候補から制御データを受信する、
ように構成された処理システム、
を備える装置。
【請求項６９】
前記候補は、前記共通探索空間内で連続する、請求項６８に記載の装置。
【請求項７０】
前記候補は、前記共通探索空間内で連続しない、請求項６８に記載の装置。
【請求項７１】
共通制御リソースでワイヤレスデバイスに制御データを通信するための４未満の前記アグリゲーションレベルを選択することと、
前記アグリゲーションレベルによる前記共通探索空間における前記連続する制御チャネル要素を含む１つまたは複数の候補において前記ワイヤレスデバイスに制御データを送信することと、
をさらに備える、請求項６８に記載の装置。
【請求項７２】
前記共通探索空間は、上限１６個の制御チャネル要素を備える、請求項６８に記載の装置。
【請求項７３】
ワイヤレス通信のための装置であって、
共通制御リソースに関係する共通探索空間の４未満のアグリゲーションレベルを決定するための手段と、
前記アグリゲーションレベルによる連続する制御チャネル要素を含む前記共通探索空間における１つまたは複数の候補から制御データを受信するための手段と、
を備える装置。
【請求項７４】
前記候補は、前記共通探索空間内で連続する、請求項７３に記載の装置。
【請求項７５】
前記候補は、前記共通探索空間内で連続しない、請求項７３に記載の装置。
【請求項７６】
共通制御リソースでワイヤレスデバイスに制御データを通信するための４未満の前記アグリゲーションレベルを選択することと、
前記アグリゲーションレベルによる前記共通探索空間における前記連続する制御チャネル要素を含む１つまたは複数の候補において前記ワイヤレスデバイスに制御データを送信することと、
をさらに備える請求項７３に記載の装置。
【請求項７７】
前記共通探索空間は、上限１６個の制御チャネル要素を備える、請求項７３に記載の装置。
【請求項７８】
コンピュータプログラム製品であって、実行可能なコードを備えるコンピュータ可読媒体を備え、
前記実行可能なコードは、装置に、
共通制御リソースに関係する共通探索空間の４未満のアグリゲーションレベルを決定させ、
前記アグリゲーションレベルによる連続する制御チャネル要素を含む前記共通探索空間における１つまたは複数の候補から制御データを受信させる、
コンピュータプログラム製品。
【発明の詳細な説明】
【関連出願の相互参照】
【０００１】
本出願は、全文が参照により本明細書に明確に組み込まれる、２０１０年５月１２日に出願された「データ領域における制御チャネル設計のためのシステムおよび装置（Systems and Apparatus for Control Channel Design in Data Regions）」と題する米国仮特許出願第６１／３３４，１４１号、および２０１０年５月１４日に出願された「ＬＴＥ−Ａのための共通探索空間設計（Common Search Space Design for LTE-A）」と題する米国仮特許出願第６１／３４５，００６号の優先権と利益とを主張する。
【背景】
【０００２】
［分野］
本開示は、一般に通信システムに関し、より詳細には、ワイヤレス通信システムにおける制御チャネル構成に関する。
【０００３】
［分野］
ワイヤレス通信システムは、電話、ビデオ、データ、メッセージング、およびブロードキャストなどの様々な電気通信サービスを提供するために広く展開されている。典型的なワイヤレス通信システムは、利用可能なシステムリソース（たとえば、帯域幅、送信電力）を共有することによって複数のユーザとの通信をサポートすることが可能な多元接続技術を採用し得る。そのような多元接続技術の例には、符号分割多元接続（ＣＤＭＡ）システム、時分割多元接続（ＴＤＭＡ）システム、周波数分割多元接続（ＦＤＭＡ）システム、直交周波数分割多元接続（ＯＦＤＭＡ）システム、シングルキャリア周波数分割多元接続（ＳＣ−ＦＤＭＡ）システム、時分割同期符号分割多元接続（ＴＤ−ＳＣＤＭＡ）システム、およびＷｏｒｌｄｗｉｄｅ  Ｉｎｔｅｒｏｐｅｒａｂｉｌｉｔｙ  ｆｏｒ  Ｍｉｃｒｏｗａｖｅ  Ａｃｃｅｓｓ（ＷｉＭＡＸ）がある。
【０００４】
ワイヤレス通信システムにおいて、これらの多元接続技術は、異なるワイヤレスデバイスが都市、国家、地域、さらには地球規模で通信することを可能にする共通プロトコルを与えるために様々な電気通信規格において採用されている。新生の電気通信規格の例は、Ｌｏｎｇ  Ｔｅｒｍ  Ｅｖｏｌｕｔｉｏｎ（ＬＴＥ）である。ＬＴＥは、Ｔｈｉｒｄ  Ｇｅｎｅｒａｔｉｏｎ  Ｐａｒｔｎｅｒｓｈｉｐ  Ｐｒｏｊｅｃｔ（３ＧＰＰ）によって公表されたＵｎｉｖｅｒｓａｌ  Ｍｏｂｉｌｅ  Ｔｅｌｅｃｏｍｍｕｎｉｃａｔｉｏｎｓ  Ｓｙｓｔｅｍ（ＵＭＴＳ）モバイル規格の拡張セットを提供している。ＬＴＥは、スペクトル効率を改善することによってモバイルブロードバンドインターネットアクセスをより良くサポートし、コストを下げ、サービスを改善し、新しいスペクトルを利用し、また、ダウンリンク（ＤＬ）上ではＯＦＤＭＡを利用し、アップリンク（ＵＬ）上ではＳＣ−ＦＤＭＡを利用し、多入力多出力（ＭＩＭＯ）アンテナ技術を利用して他のオープン規格とより良く統合するように設計されている。
【０００５】
しかしながら、モバイルブロードバンドアクセスに対する需要が増大し続けるにつれて、ＬＴＥ技術のさらなる改善が必要である。好ましくは、これらの改善は、これらの技術を採用する他の多元接続技術と電気通信規格とに適用可能であるべきである。
【発明の概要】
【０００６】
本開示の態様によれば、ワイヤレス通信のための方法は、ダウンリンク許可情報およびアップリンク許可情報の各々につき別個の制御チャネルを提供することと、識別子で制御チャネルを復号するように構成された受信ノードにのみ知られている識別子で制御チャネルを符号化することと、識別子が受信ノードに知られているという情報を受信ノードに伝達することとを備える。
【０００７】
本開示の態様によれば、ワイヤレス通信のための装置は、ダウンリンク許可情報およびアップリンク許可情報の各々につき別個の制御チャネルを提供し、識別子で制御チャネルを復号するように構成された受信ノードにのみ知られている識別子で制御チャネルを符号化し、識別子が受信ノードに知られているという情報を受信ノードに伝達するように構成された処理システムを備える。
【０００８】
本開示の態様によれば、ワイヤレス通信のための装置は、ダウンリンク許可情報およびアップリンク許可情報の各々につき別個の制御チャネルを提供するための手段と、識別子で制御チャネルを復号するように構成された受信ノードにのみ知られている識別子で制御チャネルを符号化するための手段と、識別子が受信ノードに知られているという情報を受信ノードに伝達するための手段とを備える。
【０００９】
本開示の態様によれば、コンピュータプログラム製品は、ダウンリンク許可情報およびアップリンク許可情報の各々につき別個の制御チャネルを提供し、識別子で制御チャネルを復号するように構成された受信ノードにのみ知られている識別子で制御チャネルを符号化し、識別子が受信ノードに知られているという情報を受信ノードに伝達することを装置に行わせるように実行可能なコードを備えるコンピュータ可読媒体を備える。
【００１０】
本開示の態様によれば、ワイヤレス通信のための方法は、ダウンリンク許可情報およびアップリンク許可情報の各々につき別個の制御チャネルを受信することと、知られている識別子で制御チャネルを復号することと、制御チャネルの１つまたは複数のスパン構成（one or more span configurations）に関するブラインド仮説検定（blind hypothesis testing）を介して制御チャネルのスパンを決定することとを備える。
【００１１】
本開示の態様によれば、ワイヤレス通信のための装置は、ダウンリンク許可情報およびアップリンク許可情報の各々につき別個の制御チャネルを受信し、知られている識別子で制御チャネルを復号し、制御チャネルの１つまたは複数のスパン構成に関するブラインド仮説検定を介して制御チャネルのスパンを決定するように構成された処理システムを備える。
【００１２】
本開示の態様によれば、ワイヤレス通信のための装置は、ダウンリンク許可情報およびアップリンク許可情報の各々につき別個の制御チャネルを受信するための手段と、知られている識別子で制御チャネルを復号するための手段と、制御チャネルの１つまたは複数のスパン構成に関するブラインド仮説検定を介して制御チャネルのスパンを決定するための手段とを備える。
【００１３】
本開示の態様によれば、コンピュータプログラム製品は、ダウンリンク許可情報およびアップリンク許可情報の各々につき別個の制御チャネルを受信し、知られている識別子で制御チャネルを復号し、制御チャネルの１つまたは複数のスパン構成に関するブラインド仮説検定を介して制御チャネルのスパンを決定することを装置に行わせるように実行可能なコードを備えるコンピュータ可読媒体を備える。
【００１４】
本開示の態様によれば、ワイヤレス通信のための方法は、共通制御リソースに関係する共通探索空間(common search space)の４未満のアグリゲーションレベルを決定することと、アグリゲーションレベルによる連続する制御チャネル要素を含む共通探索空間における１つまたは複数の候補から制御データを受信することとを備える。
【００１５】
本開示の態様によれば、ワイヤレス通信のための装置は、共通制御リソースに関係する共通探索空間の４未満のアグリゲーションレベル(aggregation level)を決定し、アグリゲーションレベルによる連続する制御チャネル要素(contiguous control channel elements)を含む共通探索空間における１つまたは複数の候補から制御データを受信するように構成された処理システムを備える。
【００１６】
本開示の態様によれば、ワイヤレス通信のための装置は、共通制御リソースに関係する共通探索空間の４未満のアグリゲーションレベルを決定するための手段と、アグリゲーションレベルによる連続する制御チャネル要素を含む共通探索空間における１つまたは複数の候補から制御データを受信するための手段とを備える。
【００１７】
本開示の態様によれば、コンピュータプログラム製品は、共通制御リソースに関係する共通探索空間の４未満のアグリゲーションレベルを決定し、アグリゲーションレベルによる連続する制御チャネル要素を含む共通探索空間における１つまたは複数の候補から制御データを受信することを装置に行わせるように実行可能なコードを備えるコンピュータ可読媒体を備える。
【００１８】
本開示の特徴、特性、および利点は、全体を通じて同様の参照符号が同様のものを指す図面とともに、以下に記載する発明を実施するための形態を読めばより明らかになろう。
【図面の簡単な説明】
【００１９】
【図１Ａ】本開示の態様による、処理システムを用いる装置のハードウェア実装の例を示す図。
【図１Ｂ】本開示の態様による、処理システムを用いる装置のハードウェア実装の例を示す図。
【図２】本開示の態様による、多元接続ワイヤレス通信システムを示す図。
【図３Ａ】本開示の態様による、ネットワークアーキテクチャの一例を示す図。
【図３Ｂ】本開示の態様による、アクセスネットワークの一例を示す図。
【図４Ａ】本開示の態様による、アクセスネットワークにおいて使用するフレーム構造の一例を示す図。
【図４Ｂ】本開示の態様による、Ｌｏｎｇ  Ｔｅｒｍ  Ｅｖｏｌｕｔｉｏｎ（ＬＴＥ）ネットワークにおけるアップリンク（ＵＬ）のフォーマットの一例を示す図。
【図４Ｃ】本開示の態様による、ユーザプレーンおよび制御プレーンの無線プロトコルアーキテクチャの一例を示す図。
【図５】本開示の態様による、ワイヤレス通信システムの例を示すブロック図。
【図６】本開示の態様による、ワイヤレス通信システムの例を示すブロック図。
【図７Ａ】本開示の態様による、共通制御チャネルリソースの共通探索空間に関係するアグリゲーションレベル構成の例を示す図。
【図７Ｂ】本開示の態様による、共通制御チャネルリソースの共通探索空間に関係するアグリゲーションレベル構成の例を示す図。
【図８Ａ】本開示の態様による、ワイヤレス通信のための方法の例を示す流れ図。
【図８Ｂ】本開示の態様による、ワイヤレス通信のための方法の例を示す流れ図。
【図８Ｃ】本開示の態様による、ワイヤレス通信のための方法の例を示す流れ図。
【図９Ａ】本開示の態様による、ワイヤレス通信のために構成された装置の機能を示すブロック図。
【図９Ｂ】本開示の態様による、ワイヤレス通信のために構成された装置の機能を示すブロック図。
【図９Ｃ】本開示の態様による、ワイヤレス通信のために構成された装置の機能を示すブロック図。
【詳細な説明】
【００２０】
添付の図面に関して以下に示す発明を実施するための形態は、様々な構成を説明するものであり、本明細書で説明する概念が実施され得る唯一の構成を表すとは限らない。発明を実施するための形態は、様々な概念の完全な理解を与えるための具体的な詳細を含む。ただし、これらの概念はこれらの具体的な詳細なしに実施され得ることが当業者には明らかであろう。いくつかの例では、そのような概念を不明瞭にしないように、よく知られている構造および構成要素をブロック図の形式で示す。
【００２１】
本開示の態様により、様々な装置および方法に関して電気通信システムのいくつかの態様を提示する。これらの装置および方法について、以下の発明を実施するための形態において説明し、（「要素(elements)」と総称される）様々なブロック、モジュール、構成要素、回路、ステップ、プロセス、アルゴリズムなどによって添付の図面に示す。これらの要素は、電子ハードウェア、コンピュータソフトウェア、またはそれらの任意の組合せを利用して実装され得る。そのような要素をハードウェアとして実装するか、ソフトウェアとして実装するかは、特定の適用例および全体的なシステムに課せられた設計制約に依存する。
【００２２】
例として、要素、または要素の任意の部分、または要素の任意の組合せは、１つまたは複数のプロセッサを含む「処理システム」を用いて実装され得る。プロセッサの例には、マイクロプロセッサ、マイクロコントローラ、デジタルシグナルプロセッサ（ＤＳＰ）、フィールドプログラマブルゲートアレイ（ＦＰＧＡ）、プログラマブル論理デバイス（ＰＬＤ）、状態機械、ゲート論理回路、個別ハードウェア回路、および、本開示全体にわたって説明される様々な機能を実行するように構成された他の好適なハードウェアがある。処理システム中の１つまたは複数のプロセッサは、ソフトウェアを実行し得る。ソフトウェアは、ソフトウェア、ファームウェア、ミドルウェア、マイクロコード、ハードウェア記述言語などの名称にかかわらず、命令、命令セット、コード、コードセグメント、プログラムコード、プログラム、サブプログラム、ソフトウェアモジュール、アプリケーション、ソフトウェアアプリケーション、ソフトウェアパッケージ、ルーチン、サブルーチン、オブジェクト、実行ファイル、実行スレッド、プロシージャ、関数などを意味すると広く解釈されたい。ソフトウェアは、コンピュータ可読媒体上に常駐し得る。コンピュータ可読媒体は、非一時的コンピュータ可読媒体であり得る。非一時的コンピュータ可読媒体は、例として、磁気ストレージデバイス（たとえば、ハードディスク、フロッピー（登録商標）ディスク、磁気ストリップ）、光ディスク（たとえば、コンパクトディスク（ＣＤ）、デジタル多用途ディスク（ＤＶＤ））、スマートカード、フラッシュメモリデバイス（たとえば、カード、スティック、キードライブ）、ランダムアクセスメモリ（ＲＡＭ）、読取り専用メモリ（ＲＯＭ）、プログラマブルＲＯＭ（ＰＲＯＭ）、消去可能ＰＲＯＭ（ＥＰＲＯＭ）、電気的消去可能ＰＲＯＭ（ＥＥＰＲＯＭ）、レジスタ、リムーバブルディスク、ならびに、コンピュータによってアクセスされ読み取られ得るソフトウェアおよび／または命令を記憶するための任意の他の好適な媒体を含む。コンピュータ可読媒体は、処理システムの内部に常駐するか、処理システムの外部にあるか、または処理システムを含む複数のエンティティにわたって分散され得る。コンピュータ可読媒体は、コンピュータプログラム製品の中で具現化され得る。例として、コンピュータプログラム製品は、パッケージング材料中にコンピュータ可読媒体を含み得る。当業者は、特定の適用例および全体的なシステムに課せられた全体的な設計制約に応じて、本開示全体にわたって提示される記載の機能をどのようにしたら最も良く実装することができるかを認識されよう。
【００２３】
本明細書で説明する技法は、符号分割多元接続（ＣＤＭＡ）ネットワーク、時分割多元接続（ＴＤＭＡ）ネットワーク、周波数分割多元接続（ＦＤＭＡ）ネットワーク、直交ＦＤＭＡ（ＯＦＤＭＡ）ネットワーク、シングルキャリアＦＤＭＡ（ＳＣ−ＦＤＭＡ）ネットワークなど様々なワイヤレス通信ネットワークに対して利用できる。「ネットワーク」および「システム」という用語は、しばしば互換的に利用される。ＣＤＭＡネットワークは、汎用地上波無線アクセス（ＵＴＲＡ）、ＣＤＭＡ２０００などの無線技術を実装し得る。ＵＴＲＡは、Ｗｉｄｅｂａｎｄ−ＣＤＭＡ（Ｗ−ＣＤＭＡ）と低チップレート（ＬＣＲ）とを含む。ＣＤＭＡ２０００は、ＩＳ−２０００規格と、ＩＳ−９５規格と、ＩＳ−８５６規格とをカバーする。ＴＤＭＡネットワークは、Ｇｌｏｂａｌ  Ｓｙｓｔｅｍ  ｆｏｒ  Ｍｏｂｉｌｅ  Ｃｏｍｍｕｎｉｃａｔｉｏｎｓ（ＧＳＭ）（登録商標）などの無線技術を実装することができる。ＯＦＤＭＡネットワークは、Ｅｖｏｌｖｅｄ  ＵＴＲＡ（Ｅ−ＵＴＲＡ）、ＩＥＥＥ８０２．１１、ＩＥＥＥ８０２．１６、ＩＥＥＥ８０２．２０、Ｆｌａｓｈ−ＯＦＤＭ（登録商標）などの無線技術を実装し得る。ＵＴＲＡ、Ｅ−ＵＴＲＡ、およびＧＳＭは、Ｕｎｉｖｅｒｓａｌ  Ｍｏｂｉｌｅ  Ｔｅｌｅｃｏｍｍｕｎｉｃａｔｉｏｎ  Ｓｙｓｔｅｍ（ＵＭＴＳ）の一部である。Ｌｏｎｇ  Ｔｅｒｍ  Ｅｖｏｌｕｔｉｏｎ（ＬＴＥ）は、Ｅ−ＵＴＲＡを使用するＵＭＴＳの今度のリリースである。ＵＴＲＡ、Ｅ−ＵＴＲＡ、ＧＳＭ、ＵＭＴＳおよびＬＴＥは、「３ｒｄ  Ｇｅｎｅｒａｔｉｏｎ  Ｐａｒｔｎｅｒｓｈｉｐ  Ｐｒｏｊｅｃｔ」（３ＧＰＰ）という名称の組織からの文書に記載されている。ＣＤＭＡ２０００は、「３ｒｄ  Ｇｅｎｅｒａｔｉｏｎ  Ｐａｒｔｎｅｒｓｈｉｐ  Ｐｒｏｊｅｃｔ  ２」（３ＧＰＰ２）という名称の組織からの文書に記載されている。これらの様々な無線技術および規格は当技術分野で知られている。明快のために、本技法のいくつかの態様について以下ではＬＴＥに関して説明し、以下の説明の大部分でＬＴＥ用語を利用する。
【００２４】
シングルキャリア変調と周波数領域等化とを利用するシングルキャリア周波数分割多元接続（ＳＣ−ＦＤＭＡ）は、１つの技法である。ＳＣ−ＦＤＭＡは、ＯＦＤＭＡシステムと同様の性能および本質的に同じ全体的な複雑さを有する。ＳＣ−ＦＤＭＡ信号は、その固有のシングルキャリア構造のために、より低いピーク対平均電力比（ＰＡＰＲ）を有する。ＳＣ−ＦＤＭＡは、特に、より低いＰＡＰＲが送信電力効率の点でモバイル端末に多大な利益を与えるアップリンク通信においてかなりの注目を引いている。それは現在、３ＧＰＰ  Ｌｏｎｇ  Ｔｅｒｍ  Ｅｖｏｌｕｔｉｏｎ（ＬＴＥ）、またはＥｖｏｌｖｅｄ  ＵＴＲＡにおけるアップリンク多元接続方式に関する実用的な前提である。
【００２５】
本開示の一態様では、ワイヤレス多元接続通信システムが、複数のワイヤレス端末の通信を同時にサポートするように構成される。各端末は、順方向リンクおよび逆方向リンク上での伝送によって１つまたは複数の基地局と通信する。順方向リンクまたはダウンリンク（ＤＬ）とは、基地局から端末への通信リンクを指し、逆方向リンクまたはアップリンク（ＵＬ）とは、端末から基地局への通信リンクを指す。この通信リンクは、単入力単出力、多入力単出力または多入力多出力（ＭＩＭＯ）システムを介して確立され得る。
【００２６】
ＭＩＭＯシステムは、データ伝送のために複数（ＮT）個の送信アンテナと複数（ＮR）個の受信アンテナとを採用する。ＮT個の送信アンテナおよびＮR個の受信アンテナによって形成されるＭＩＭＯチャネルは、ＮS個の独立チャネルに分解可能で、これは空間チャネルとも呼ばれ、ＮS≦ｍｉｎ｛ＮT，ＮR｝である。ＮS個の独立チャネルの各々は１つの次元に対応する。複数の送信アンテナおよび受信アンテナによって生成された追加の次元数が利用された場合、ＭＩＭＯシステムは改善されたパフォーマンス（たとえば、より高いスループットおよび／またはより大きい信頼性）を与えることができる。
【００２７】
ＭＩＭＯシステムは時分割複信（ＴＤＤ）システムと周波数分割複信（ＦＤＤ）システムとをサポートする。ＴＤＤシステムでは、順方向リンク送信と逆方向リンク送信とが同一周波数領域上で行われるので、相反定理による逆方向リンクチャネルからの順方向リンクチャネルの推定が可能である。これにより、複数のアンテナがアクセスポイントで利用可能なとき、アクセスポイントは順方向リンク上で送信ビームフォーミング利得を取り出すことが可能になる。
【００２８】
本明細書で説明するように、３ＧＰＰシステムでは、中継ノード（ＲＮ）向けにデータ領域における制御チャネルを通信するために、サブフレームの第１のスロットにおいてＤＬ許可が送信される。所与の物理リソースブロック（ＰＲＢ）ペアの第１のＰＲＢにおいてＤＬ許可が送信された場合、ＰＲＢペアの第２のＰＲＢにおいてＵＬ許可が送信される。復調基準信号（ＤＭ−ＲＳ）を用いる場合、ＰＲＢペアにおけるＤＬ許可およびＵＬ許可は同じＲＮ向けである。これらの実施形態では、ＰＲＢペアにおけるリソース要素（ＲＥ）を異なるＲＮに使用することはできない。共通基準信号（ＣＲＳ）を用いる場合、ＰＲＢペアにおけるＤＬ許可およびＵＬ許可は同じＲＮ向けでも、異なるＲＮ向けでもよい。これらの実施形態では、ＤＬ許可のみまたはＵＬ許可のみの送信の詳細が決定され得る。したがって、データ領域における制御チャネル設計を提供するシステムおよび装置が、ＬＴＥ−Ａｄｖａｎｃｅｄ（ＬＴＥ−Ａ）および他のワイヤレス通信システム向けに提供され得る。
【００２９】
一実装形態では、基地局が、時間に対する周波数の一部分として定義され得る論理制御チャネルリソースを介してワイヤレス端末に制御データを通信する（かつ／またはその逆を行う）ように構成可能である。たとえば、ＬＴＥでは、制御チャネルリソースは、サブフレームの初めで開始する複数の直交周波数分割多重（ＯＦＤＭ）シンボルを備えることができる。ＯＦＤＭシンボルは、時間に対する周波数の連続する部分または連続しない部分であり得る。一例では、１つのサブフレームは、固定数のＯＦＤＭシンボルを備えることができる。さらに、制御チャネルリソースの少なくとも一部分は、ワイヤレス端末間で共通のものであってよく、その結果、ワイヤレス端末は、制御チャネルリソースを探索して、ワイヤレス端末に関係する制御データの位置を特定する必要があり得る。
【００３０】
ワイヤレス端末において複数の制御チャネルリソースを探索する負担を減らすために、基地局は、所与のワイヤレス端末に関係する制御データを含み得る共通探索空間と、共通探索空間におけるアグリゲーションレベルとを定義するように構成可能である。たとえば、ＬＴＥリリース８において定義されているように、たとえば１６個の制御チャネル要素（ＣＣＥ）を含む共通探索空間では、アグリゲーションレベル８は、所与のワイヤレス端末に関する制御データを含み得る候補を２つだけ残す。したがって、共通探索空間における１６個のＣＣＥをすべて探索する代わりに、ワイヤレス端末はアグリゲーションレベル８において、２つの候補を分析して、ワイヤレス端末に関係する制御データを候補が含むか否かを決定するだけでよい。ただし、ＬＴＥリリース８では、共通探索空間についてアグリゲーションレベル８および４のみが定義されている。
【００３１】
図１Ａは、本開示の態様による、処理システム１１４とメモリ１０５とを用いる装置１００の一実施形態を示す図である。装置１００は、ワイヤレス通信ネットワークにおいてノード（たとえば、アクセスポイント、基地局、リレー、アクセス端末、ユーザ機器などのワイヤレスデバイス）として動作し、ワイヤレス通信ネットワークにおいて他のノードと通信するように構成される。
【００３２】
装置１００の態様では、処理システム１１４は、バス１０２によって表されるバスアーキテクチャを用いて実装され得る。バス１０２は、処理システム１１４の特定の適用例および全体的な設計制約に応じて、任意の数の相互接続バスとブリッジとを含み得る。バス１０２は、プロセッサ１０４によって概略的に表される１つまたは複数のプロセッサと、コンピュータ可読媒体１０６によって概略的に表されるコンピュータ可読媒体とを含む様々な回路を互いにリンクする。バス１０２はまた、タイミングソース、周辺機器、電圧調整器、および電力管理回路など、様々な他の回路をリンクし得るが、これらの回路は当技術分野においてよく知られており、したがって、これ以上説明しない。随意のバスインターフェース１０８を利用して、バス１０２、トランシーバ１１０および／または随意のユーザインターフェース１１２の間のインターフェースを提供してもよい。したがって、トランシーバ１１０は、バスインターフェース１０８なしにバス１０２に直接結合できることを諒解されたい。トランシーバ１１０は、伝送媒体上で様々な他の装置と通信するための手段を与える。トランシーバ１１０は、送信するための手段を含む送信機として、受信するための手段を含む受信機、および／または送信と受信の両方を行うための手段を含むトランシーバとして構成され得る。装置１００の性質に応じて、ユーザインターフェース１１２（たとえば、キーパッド、タッチパッド、モニタ、ディスプレイ、スピーカ、マイクロホン、ジョイスティック）も、ユーザとインターフェースをとるために与えられ得る。
【００３３】
プロセッサ１０４は、バス１０２の管理と、コンピュータ可読媒体１０６に記憶されたソフトウェアの実行を含む一般的な処理とを行うように構成される。ソフトウェアは、プロセッサ１０４によって実行されたとき、処理システム１１４に、特定の装置のための本明細書で説明する様々な機能および／またはオペレーションを実行させる。メモリ１０５および／またはコンピュータ可読媒体１０６は、ソフトウェアを実行するときにプロセッサ１０４によって操作されるデータを記憶するために利用され得る。
【００３４】
図１Ｂは、本開示の態様による、たとえばワイヤレス通信のための処理システム１５０を備える装置１４０のハードウェア実装を示す図である。装置１４０は、リレーとして動作するように構成され、処理システム１５０は、信号を受信し、受信信号を復号し、復号された信号を転送または送信するように構成される。一実装形態では、処理システム１５０は、データと情報とを交換するためにバス１６０を介して連結されたプロセッサ１５４とメモリ１５６とを含む。図１Ｂに示すように、処理システム１５０は、プロセッサ１５４に結合されたトランシーバ１５２を備える。一実装形態では、トランシーバ１５２は、プロセッサ１５４の一部として統合され得る。トランシーバ１５２は、入力信号を受信するように構成され得る。一実装形態では、トランシーバ１５２は、入力を受信するためのワイヤレス受信構成要素および／または有線もしくは光入力インターフェースを備えることができる。トランシーバ１５２は、出力信号を提供するようにさらに構成される。一実装形態では、トランシーバ１５２は、出力を送信するためのワイヤレス送信構成要素および／または有線もしくは光出力インターフェースを備えることができる。したがって、トランシーバ１５２は、受信するための手段および／または送信するための手段を備えることができる。
【００３５】
本開示の態様によれば、図１Ａおよび図１Ｂの処理システム１１４、１５０は、１つまたは複数の制御チャネルを特別な無線ネットワーク一時識別子（ＲＮＴＩ）値またはＭＡＣ識別子（ＩＤ）値などの識別子でスクランブルする（または符号化する）ための制御チャネル構成モジュールを利用するように構成され得る。一実装形態では、ワイヤレス通信システムにおける各受信ノードは、スクランブルされた（または符号化された）制御チャネルを識別子で復号するように構成され得る。したがって、識別子（たとえば、ＲＮＴＩ値またはＭＡＣ  ＩＤ値）は，ワイヤレス通信ネットワークにおける中継ノード（ＲＮ）、基地局（ＢＳ）、アクセスポイント（ＡＰ）および／またはアクセス端末（ＡＴ）などの様々なノードによって知られ得る。いくつかの実装形態では、制御チャネルをノードが利用して、システム情報を更新し、かつ／またはＲＮなどの他のノードをページングする。いくつかの実装形態では、制御チャネルはアンカー制御チャネル（anchor control channel）であり得る。
【００３６】
本開示の態様によれば、図１Ａおよび図１Ｂの処理システム１１４、１５０は、いくつかの異なる方法で制御スパン情報を伝達するための制御チャネル構成モジュールを利用するように構成され得る。たとえば、様々な制御スパンに様々なインターリーバを用いることができ、受信ノードは、様々な仮説（たとえば、様々な潜在的なインターリーバ）にブラインド復号または検定を適用して、制御スパンを決定し、制御チャネルを復号することができる。したがって、様々な実装形態では、受信ノードは、様々な潜在的なインターリーバにブラインド仮説検定を適用して、制御スパンを決定し、制御チャネルを復号することができる。一実装形態では、データ領域における制御チャネル（たとえば、リレーの場合におけるＲ−ＰＤＣＣＨ）は、複数のリソースブロック（ＲＢ）をスパンすることができ、インターリーバを使用して、複数のＲＢにわたってＲ−ＰＤＣＣＨを広げることができる。Ｒ−ＰＤＣＣＨという用語が本明細書で使用されることがあるが、この用語は、データ領域にマッピングされる任意の制御チャネルに全般的に適用可能であることを諒解されたい。
【００３７】
別の実装形態では、アップリンク（ＵＬ）許可情報の制御スパンは、ダウンリンク（ＤＬ）許可情報の制御スパンにリンクされ得る。たとえば、制御スパンは、いくつかの実施形態では同じであり得る。別の例では、ＤＬ制御スパンはＵＬ制御スパンの下限（または上限）であり得る。
【００３８】
別の実装形態では、ＵＬ許可情報の制御のアグリゲーションレベルは、同じノード（たとえば、ＲＮまたはＵＥ）のＤＬ許可情報のアグリゲーションサイズにリンクされ得る。たとえば、アグリゲーションレベルおよびアグリゲーションサイズは、いくつかの実施形態では同じであり得る。別の例では、ＤＬにおける許可のアグリゲーションサイズは、ＵＬ許可のアグリゲーションサイズの下限（上限）であり得る。
【００３９】
別の実装形態では、ＵＬ許可情報に利用されるインターリーバは、ＤＬ許可情報に使用されるインターリーバにリンクされ得る。たとえば、インターリーバは別のインターリーバの移行バージョンであり得る。そのような構成により、いくつかの実施形態では、受信機は、同じ物理リソースにおいてＤＬ許可およびＵＬ許可の異なるブラインド復号（たとえば、異なる潜在的インターリーバでのブラインド仮説検定）を試したときに、受信されたリソース要素（ＲＥ）を取り出すことができる。
【００４０】
本開示の態様によれば、図１Ａおよび図１Ｂの処理システム１１４、１５０は、リソース要素（ＲＥ）にＤＬ許可情報および／またはＵＬ許可情報をマッピングするための制御チャネル構成モジュールを利用するように構成され得る。これは、たとえば、最初にＤＬ許可情報をＤＬ制御領域にマッピングし、次いでＵＬ許可情報をＵＬ制御領域にマッピングすることによって、達成できる。一実装形態では、ＵＬ制御領域は、たとえば、周波数領域において、かつ／または時間領域もしくはそれらの両方においてＤＬ制御領域に直交することがあり、その結果、ＵＬ制御領域とＤＬ制御領域とは重ならない。
【００４１】
いくつかの実装形態では、制御領域内のＲＥがすべて使用されている場合に利用可能なＵＬ許可があるとき、ＵＬ許可をＤＬ許可領域の未使用領域の全部または一部にマッピングすることができる。ＤＬ制御領域におけるＵＬ許可に使用される領域を制限して、それにより受信機は、ブラインド復号（たとえば、異なる潜在的インターリーバでのブラインド仮説検定）を適用して、ＤＬ制御領域におけるＵＬ許可のための拡張された制御領域の存在と長さとを把握することができる。
【００４２】
図２は、本開示の態様による、多元接続ワイヤレス通信システムの一実施形態を示す図である。アクセスポイント２００（ＡＰ）は複数のアンテナグループを含み、たとえば、あるアンテナグループは２０４と２０６とを含み、別のアンテナグループは２０８と２１０とを含み、追加のアンテナグループは２１２と２１４とを含む。図２では、アンテナグループごとに２つのアンテナのみが示されているが、アンテナグループごとにより多いまたはより少ないアンテナが利用され得る。一実装形態では、アクセス端末２１６（ＡＴ）はアンテナ２１２および２１４と通信中であり、アンテナ２１２および２１４は、順方向リンクまたはダウンリンク（ＤＬ）２２０上でアクセス端末２１６に情報を送信し、逆方向リンクまたはアップリンク（ＵＬ）２１８上でアクセス端末２１６から情報を受信する。一実装形態では、アクセス端末２２２はアンテナ２０６および２０８と通信中であり、アンテナ２０６および２０８は、順方向リンクまたはダウンリンク（ＤＬ）２２６上でアクセス端末２２２に情報を送信し、逆方向リンクまたはアップリンク（ＵＬ）２２４上でアクセス端末２２２から情報を受信する。様々な実装形態では、１つまたは複数の中継デバイス（すなわち、中継ノード）がアクセスポイント２００およびアクセス端末２１６、２２２に近接して配置されて、それぞれそれらの間で通信を中継することができる。
【００４３】
本開示の態様によれば、周波数分割複信（ＦＤＤ）システムでは、通信リンク２１８、２２０、２２４および２２６は、通信のための異なる周波数を使用し得る。たとえば、順方向リンクまたはダウンリンク（ＤＬ）２２０は、逆方向リンクまたはアップリンク（ＵＬ）２１８によって利用される周波数とは異なる周波数を使用することができる。
【００４４】
本開示の態様によれば、アンテナの各グループ、および／またはアンテナが通信するように設計されたエリアは、アクセスポイントのセクタと呼ばれることがある。一例では、各アンテナグループは、アクセスポイント２００によってカバーされるエリアのセクタ内でアクセス端末に通信するように設計され得る。
【００４５】
本開示の態様によれば、順方向リンクまたはダウンリンク（ＤＬ）２２０、２２６で通信するとき、アクセスポイント２００の送信アンテナは、それぞれ異なるアクセス端末２１６および２２４に関して順方向リンクまたはダウンリンク２２０、２２６の信号対雑音比を改善するためにビームフォーミングを利用する。また、一実装形態では、アクセスポイントがビームフォーミングを利用して、そのカバレージ中にランダムに分散されたアクセス端末に送信するほうが、アクセスポイントが単一のアンテナを介してすべてのそのアクセス端末に送信するよりも、隣接セル中のアクセス端末への干渉が小さくなる。
【００４６】
本開示の態様によれば、アクセスポイントは、端末との通信に利用される固定局でもよく、アクセスポイント（ＡＰ）、ノードＢ（ＮＢ）、進化型ノードＢ(evolved Node B)（ｅＮＢ）、または何らかの他の用語で呼ばれることもある。アクセス端末は、アクセス端末（ＡＴ）、ユーザ機器（ＵＥ）、ワイヤレス通信デバイス、端末、または何らかの他の用語で呼ばれることがある。その上、アクセスポイントは、マクロセルアクセスポイント、フェムトセルアクセスポイント、ピコセルアクセスポイントなどとすることができる。
【００４７】
様々な実施形態では、本明細書で説明するように、１つもしくは複数のセグメント、または１つもしくは複数の拡張キャリア(extension carriers)が標準キャリア（regular carrier）にリンクして複合帯域幅（composite bandwidth）が生じることがあり、ＵＥは複合帯域幅により、ｅＮＢに情報を送信すること、および／またはｅＮＢから情報を受信することができる。
【００４８】
本開示の態様によれば、図２のワイヤレス通信システムは、様々なアグリゲーションレベルにおいて制御リソースで共通制御データを通信することを容易にする。アクセスポイント（ＡＰ）２００は、アクセス端末（ＡＴ）２１６、２２２にワイヤレスネットワークアクセスを提供するように構成され得る。アクセスポイント８０２は、共通制御リソースでアクセス端末２１６、２２２の各々に関係する制御データを送信するためのアグリゲーションレベルを決定するように構成されるアグリゲーションレベル選択モジュールと、アグリゲーションレベルを使用して共通探索空間においてアクセス端末２１６、２２２に制御データを送信する制御データ通信モジュールとを備えることができる。アクセス端末２１６、２２２は、アクセス端末２１６、２２２に関係するデータのために共通制御リソースを探索する制御リソース監視モジュールと、共通制御リソースから制御データを取り出す制御データ決定モジュールとを備えることができる。
【００４９】
一実装形態では、アグリゲーションレベル選択モジュールを利用して、アクセス端末２１６、２２２に共通制御リソースで制御データを通信するためのアグリゲーションレベルを決定することができる。一例では、共通制御リソースは、ＰＤＣＣＨ、リレーＰＤＣＣＨおよび／または類似のリソースに関係し得る。さらに、アグリゲーションレベル選択モジュールを利用して、（たとえば、ＳＮＲ、要求帯域幅などに基づいて）アクセス端末２１６、２２２に関するアグリゲーションレベルを決定することができ、アグリゲーションレベル選択モジュールは、１６個のＣＣＥの共通探索空間に関するアグリゲーションレベル８および４だけではなく、４未満のレベル（たとえば、１、２など）も利用することができる。制御データ通信モジュールを利用して、選択されたアグリゲーションレベルを使用して少なくとも１つの共通探索空間における共通制御リソースで各アクセス端末２１６、２２２向けに制御データを送信することができる。これらおよび他の態様についてここでより詳細に説明する。
【００５０】
一実装形態では、制御リソース監視モジュールを利用して共通制御リソースの共通探索空間を探索して、アクセス端末２１６、２２２に関係する制御データリソースの位置を特定することができる。一例では、制御リソース監視モジュールを利用して、対応するアグリゲーションレベルにおいて共通探索空間を探索して、探索プロセスを改善することができる。アクセス端末２１６、２２２に関係する共通制御リソースにおける制御データの位置を特定するために制御リソース監視モジュールを利用した場合、対応するリソースにおける制御データを決定するために制御データ決定モジュールを利用することができる。
【００５１】
一実装形態では、アグリゲーションレベル選択モジュールを利用して、アクセス端末２１６、２２２に関係する制御データについて、共通探索空間におけるアグリゲーションレベル２をスケジュールすることができる。一例では、制御データ通信モジュールを利用して、連続する候補をポピュレートすることができ、各候補は制御データを伴う共通探索空間の２つの連続する制御チャネル要素（ＣＣＥ）を含み、共通探索空間における第１のＣＣＥから始まる。別の例では、制御データ通信モジュールを利用して、制御データを伴う共通探索空間の２つの連続するＣＣＥからなる連続しない候補をポピュレートすることができる。制御データ通信モジュールによって利用されるポピュレーション方式は、構成、ハードコーディング、ネットワーク規格などによって定義可能で、かつ／または所与のアクセス端末に対して、所与のサブフレームにおいてなど、動的であり得ることを諒解されたい。したがって、一実装形態では、制御リソース監視モジュールを利用して、制御データリソース内の共通探索空間を探索し、連続する、または連続しないアグリゲーションレベル２のＣＣＥがアクセス端末に関係するか否かを決定することができる。
【００５２】
一実装形態では、共通制御リソースに関係する共通探索空間のアグリゲーションレベルを決定することができ、共通制御リソースで制御データを受信することができる。本明細書で説明するアグリゲーションレベルは、１６個の制御チャネル要素（ＣＣＥ）に関するレベル８、４、４未満などであり得る。一例では、アグリゲーションレベルによる連続するＣＣＥを含む共通探索空間における１つまたは複数の候補から制御データを受信することができる。本明細書で説明するように、アグリゲーションレベルが４未満であるとき、候補は連続することも、連続しないこともあり、候補は共通探索空間全体を備えるとは限らない。
【００５３】
図３Ａは、本開示の態様による、Ｌｏｎｇ  Ｔｅｒｍ  Ｅｖｏｌｕｔｉｏｎ（ＬＴＥ）ネットワークアーキテクチャ(Long Term Evolution (LTE) network architecture)３００の一実施形態を示す図である。ＬＴＥネットワークアーキテクチャ３００は進化型パケットシステム（ＥＰＳ）(Evolved Packet System (EPS))３００と呼ばれることがある。ＥＰＳ３００は、１つまたは複数のユーザ機器（ＵＥ）３０２と、進化型ＵＭＴＳ地上波無線アクセスネットワーク（Ｅ−ＵＴＲＡＮ）３０４と、進化型パケットコア（ＥＰＣ）３１０と、ホーム加入者サーバ（ＨＳＳ）３２０と、事業者のＩＰサービス３２２とを含み得る。ＥＰＳは他のアクセスネットワークと相互接続することができるが、簡単のために、それらのエンティティ／インターフェースは図示していない。図３Ａに示すように、ＥＰＳ３００はパケット交換サービスを提供する。しかしながら、当業者なら容易に諒解するように、本開示全体にわたって提示する様々な概念は、回線交換サービスを提供するネットワークに拡張され得る。さらに、本開示の範囲を逸脱することなく、ＥＰＳ３００の装置および／またはデバイスの各々は、図１の装置１００をそれぞれ備えることができることを諒解されたい。
【００５４】
Ｅ−ＵＴＲＡＮは、進化型ノードＢ（ｅＮＢ）３０６および／または１つもしくは複数の他のｅＮＢ３０８を含む。ｅＮＢ３０６は、ＵＥ３０２に対してユーザプレーンプロトコル終端と制御プレーンプロトコル終端とを与える。ｅＮＢ３０６は、Ｘ２インターフェース（すなわち、バックホール）を介して１つまたは複数の他のｅＮＢ３０８に接続され得る。ｅＮＢ３０６は、当業者によって、基地局、送受信基地局、無線基地局、無線トランシーバ、トランシーバ機能、基本サービスセット（ＢＳＳ）、拡張サービスセット（ＥＳＳ）、または何らかの他の好適な用語で呼ばれることがある。ｅＮＢ３０６は、ＵＥ３０２にＥＰＣ３１０へのアクセスポイントを与える。ＵＥ３０２の例には、携帯電話、スマートフォン、セッション開始プロトコル（ＳＩＰ）電話、ラップトップ、携帯情報端末（ＰＤＡ）、衛星無線、全地球測位システム（ＧＰＳ）、マルチメディアデバイス、ビデオデバイス、デジタルオーディオプレーヤ（たとえば、ＭＰ３プレーヤ）、カメラ、ゲーム機、または任意の他の同様の機能デバイスがある。ＵＥ３０２は、当業者によって、移動局、加入者局、モバイルユニット、加入者ユニット、ワイヤレスユニット、リモートユニット、モバイルデバイス、ワイヤレスデバイス、ワイヤレス通信デバイス、リモートデバイス、モバイル加入者局、アクセス端末、モバイル端末、ワイヤレス端末、リモート端末、ハンドセット、ユーザエージェント、モバイルクライアント、クライアント、または何らかの他の好適な用語で呼ばれることがある。一実装形態では，中継デバイス（すなわち、中継ノード（ＲＮ））をＵＥ３０２とｅＮｏｄｅＢ３０６との間に挿入して、それらの間の通信を中継することができる。
【００５５】
ｅＮＢ３０６はＳ１インターフェースによってＥＰＣ３１０に接続される。ＥＰＣ３１０は、モビリティ管理エンティティ（ＭＭＥ）３１２と、他のＭＭＥ３１４と、サービングゲートウェイ３１６と、パケットデータネットワーク（ＰＤＮ）ゲートウェイ３１８とを含む。ＭＭＥ３１２は、ＵＥ３０２とＥＰＣ３１０との間のシグナリングを処理する制御ノードである。ＭＭＥ３１２は、ベアラと接続管理とを提供するように構成される。ユーザＩＰパケットはサービングゲートウェイ３１６を通して転送され、サービングゲートウェイ３１６自体はＰＤＮゲートウェイ３１８に接続される。ＰＤＮゲートウェイ３１８は、ＵＥインターネットプロトコル（ＩＰ）アドレス割振りおよび／または他の機能を提供する。ＰＤＮゲートウェイ３１８は事業者のＩＰサービス３２２に接続される。事業者のＩＰサービス３２２は、インターネットと、イントラネットと、ＩＰマルチメディアサブシステム（ＩＭＳ）と、ＰＳストリーミングサービス（ＰＳＳ）とを含み得る。
【００５６】
図３Ｂは、本開示の態様による、ＬＴＥネットワークアーキテクチャにおけるアクセスネットワークの一例を示す図である。一例では、アクセスネットワーク３５０は、いくつかのセルラー領域（セル）３５２に分割される。１つまたは複数のより低い電力クラスのｅＮＢ３５８、３６２は、セルラー領域またはセル３５２のうちの１つまたは複数と重複する、それぞれ、セルラー領域３６０、３６４を有し得る。より低い電力クラスのｅＮＢ３５８、３６２は、フェムトセル（たとえば、ホームｅＮＢ（ＨｅＮＢ））、ピコセル、またはマイクロセルであり得る。より高い電力クラスのｅＮＢまたはマクロｅＮＢ３５４は、セル３５２に割り当てられ、セル３５２中のＵＥ３５６にＥＰＣ３１０へのアクセスポイントを与えるように構成される。アクセスネットワーク３５０のこの例には集中コントローラはないが、代替構成では集中コントローラが利用され得る。ｅＮＢ３５４は、無線ベアラ制御、承認制御、モビリティ制御、スケジューリング、セキュリティ、および（たとえば、図３Ａの）サービングゲートウェイ３１６への接続性を含む、無線に関係する１つまたは複数の機能を担当する。
【００５７】
アクセスネットワーク３５０によって利用される変調および多元接続方式は、展開されている特定の電気通信規格に応じて異なり得る。ＬＴＥ適用例では、周波数分割複信（ＦＤＤ）と時分割複信（ＴＤＤ）の両方をサポートするために、ＯＦＤＭがダウンリンク（ＤＬ）上で利用され、ＳＣ−ＦＤＭＡがアップリンク（ＵＬ）上で利用される。当業者なら以下の説明から容易に諒解できるように、本明細書で提示する様々な概念は、ＬＴＥ適用例に好適である。ただし、これらの概念は、他の変調および多元接続技法を利用する様々な他の電気通信規格に容易に拡張され得る。例として、これらの概念は、Ｅｖｏｌｕｔｉｏｎ−Ｄａｔａ  Ｏｐｔｉｍｉｚｅｄ（ＥＶ−ＤＯ）またはＵｌｔｒａ  Ｍｏｂｉｌｅ  Ｂｒｏａｄｂａｎｄ（ＵＭＢ）に拡張され得る。ＥＶ−ＤＯおよびＵＭＢは、ＣＤＭＡ２０００規格ファミリーの一部として３ｒｄ  Ｇｅｎｅｒａｔｉｏｎ  Ｐａｒｔｎｅｒｓｈｉｐ  Ｐｒｏｊｅｃｔ  ２（３ＧＰＰ２）によって公表されたエアインターフェース規格であり、ＣＤＭＡを利用して移動局にブロードバンドインターネットアクセスを提供する。これらの概念はまた、広帯域ＣＤＭＡ（Ｗ−ＣＤＭＡ）、ならびに、ＴＤ−ＳＣＤＭＡ、ＴＤＭＡを採用するＧｌｏｂａｌ  Ｓｙｓｔｅｍ  ｆｏｒ  Ｍｏｂｉｌｅ  Ｃｏｍｍｕｎｉｃａｔｉｏｎｓ（ＧＳＭ）、Ｅｖｏｌｖｅｄ  ＵＴＲＡ（Ｅ−ＵＴＲＡ）、Ｕｌｔｒａ  Ｍｏｂｉｌｅ  Ｂｒｏａｄｂａｎｄ（ＵＭＢ）、ＩＥＥＥ８０２．１１（Ｗｉ−Ｆｉ）、ＩＥＥＥ８０２．１６（ＷｉＭＡＸ）、ＩＥＥＥ８０２．２０、およびＯＦＤＭＡを採用するＦｌａｓｈ−ＯＦＤＭなど、ＣＤＭＡの他の変形態を採用する、汎用地上波無線アクセス（ＵＴＲＡ）に拡張され得る。ＵＴＲＡ、Ｅ−ＵＴＲＡ、ＵＭＴＳ、ＬＴＥおよびＧＳＭは、３ＧＰＰという組織からの文書に記載されている。ＣＤＭＡ２０００およびＵＭＢは、３ＧＰＰ２という組織からの文書に記載されている。採用される実際のワイヤレス通信規格および多元接続技術は、特定の適用例およびシステムに課せられる全体的な設計制約に依存することになることを諒解されたい。
【００５８】
本開示の一態様では、ｅＮＢ３５４は、ＭＩＭＯ技術をサポートする複数のアンテナを有し得る。ＭＩＭＯ技術の利用により、ｅＮＢ３５４は、空間多重化と、ビームフォーミングと、送信ダイバーシティとをサポートするために空間領域を活用することが可能になる。
【００５９】
空間多重化は、データの異なるストリームを同じ周波数上で同時に送信するために利用され得る。一例では、データレートを上げるために単一のＵＥ３５６にデータストリームを送信することができ、または別の例では、全体的なシステム容量を増やすために複数のＵＥ３５６にデータストリームを送信することができる。これは、各データストリームを空間的にプリコードし（すなわち、振幅および位相のスケーリングを適用し）、次いでダウンリンク（ＤＬ）上で複数の送信アンテナを通して空間的にプリコードされた各ストリームを送信することによって達成され得る。空間的にプリコードされたデータストリームは、異なる空間シグナチャとともに（１つまたは複数の）ＵＥ３５６に到着し、これにより、（１つまたは複数の）ＵＥ３５６の各々がそのＵＥ３５６に宛てられた１つまたは複数のデータストリームを復元することが可能になる。アップリンク（ＵＬ）上で、各ＵＥ３５６は、空間的にプリコードされたデータストリームを送信し、これにより、ｅＮＢ３５４は、空間的にプリコードされた各データストリームのソースを識別することが可能になる。様々な実装形態では、１つまたは複数の中継デバイス（すなわち、中継ノード（ＲＮ））が、１つまたは複数のｅＮＢ３５４と１つまたは複数のＵＥ３５６との間に、またはそれらに少なくとも近接して配置されて、それらの間の通信を中継することができる。
【００６０】
本開示の態様によれば、チャネル状態が良好なときに空間多重化が利用される。チャネル状態があまり良好でないときは、送信エネルギーを１つまたは複数の方向に集中させるためにビームフォーミングが利用され得る。これは、複数のアンテナを通して送信するためのデータを空間的にプリコードすることによって達成され得る。セルのエッジにおいて良好なカバレージを達成するために、送信ダイバーシティと組み合わせてシングルストリームビームフォーミング送信が利用され得る。
【００６１】
アクセスネットワークの様々な態様について、ダウンリンク（ＤＬ）でＯＦＤＭをサポートし、アップリンク（ＵＬ）でＳＣ−ＦＤＭＡをサポートするＭＩＭＯシステムを参照しながら説明する。ＯＦＤＭは、ＯＦＤＭシンボル内のいくつかのサブキャリアを介してデータを変調するスペクトル拡散技法である。サブキャリアは、正確な周波数で離間する。離間は、受信機がサブキャリアからデータを復元することを可能にする「直交性」を与える。時間領域では、ＯＦＤＭシンボル間干渉をなくすために、ガードインターバル（たとえば、サイクリックプレフィックス）が各ＯＦＤＭシンボルに追加され得る。アップリンクは、高いピーク対平均電力比（ＰＡＲＲ）を補償するために、ＳＣ−ＦＤＭＡをＤＦＴ拡散ＯＦＤＭ信号の形態で使用し得る。
【００６２】
本開示の態様によれば、様々なフレーム構造を利用して、ダウンリンク（ＤＬ）送信とアップリンク（ＵＬ）送信とをサポートすることができる。次に図４Ａを参照しながら、ＤＬフレーム構造の一例を提示する。ただし、当業者なら容易に諒解するように、特定の適用例のためのフレーム構造は、任意の数のファクタに応じて異なり得る。この例では、フレーム（１０ｍｓ）は、等しいサイズの１０個のサブフレームに分割される。各サブフレームは、２つの連続するタイムスロットを含む。
【００６３】
一実装形態では、２つのタイムスロットを表すためにリソースグリッドが利用されてよく、各タイムスロットはリソースブロック（ＲＢ）を含む。リソースグリッドは複数のリソース要素（ＲＥ）に分割される。ＬＴＥでは、リソースブロック（ＲＢ）は、周波数領域中に１２個の連続サブキャリアを含むことができ、各ＯＦＤＭシンボル中の通常のサイクリックプレフィックスについて、時間領域中に７個の連続ＯＦＤＭシンボル、または８４個のリソース要素（ＲＥ）を含んでいる。Ｒ４０２および４０４として示されるＲＥのいくつかは、ＤＬ基準信号（ＤＬ−ＲＳ）を含むことができる。ＤＬ−ＲＳは、（共通ＲＳと呼ばれることがある）セル固有ＲＳ（ＣＲＳ）４０２と、ＵＥ固有ＲＳ（ＵＥ−ＲＳ）４０４とを含む。ＵＥ−ＲＳ４０４は、対応する物理ダウンリンク共有チャネル（ＰＤＳＣＨ）がマッピングされるＲＢ上でのみ送信され得る。各ＲＥによって搬送されるビット数は、変調方式に依存し得る。したがって、ＵＥが受信するＲＢが多いほど、また変調方式が高いほど、ＵＥのデータレートは高くなる。
【００６４】
図４Ｂを参照すると、ＵＬフレーム構造４２０の一例が、ＬＴＥにおけるＵＬ用のフォーマットの一実施形態で提供されている。ＵＬのために利用可能なリソースブロック（ＲＢ）は、データセクションと制御セクションとに区分され得る。制御セクションは、システム帯域幅の２つのエッジにおいて形成されてよく、構成可能なサイズを有し得る。制御セクション中のＲＢは、制御情報を送信するためにＵＥに割り当てられ得る。データセクションは、制御セクション中に含まれないＲＢを含み得る。図４Ｂの設計は、データセクション中の連続するサブキャリアうちの１つまたは複数を単一のＵＥに割り当てることを可能にし得る連続サブキャリアを含むデータセクションを生じさせる。
【００６５】
一実装形態では、ＵＥには、ｅＮＢに制御情報を送信するために、制御セクション中のリソースブロック（ＲＢ）４３０ａ、４３０ｂが割り当てられ得る。ＵＥには、ｅＮＢにデータを送信するために、データセクション中のＲＢ４４０ａ、４４０ｂが割り当てられ得る。ＵＥは、制御セクション中の割り当てられたＲＢ上の物理アップリンク制御チャネル（ＰＵＣＣＨ）中で制御情報を送信し得る。ＵＥは、データセクション中の割り当てられたＲＢ上の物理アップリンク共有チャネル（ＰＵＳＣＨ）中でデータのみまたはデータと制御情報の両方を送信し得る。ＵＬ送信は、サブフレームの両方のスロットにわたってもよく、図４Ｂに示すような形で周波数上でホッピングし得る。
【００６６】
本開示の一態様では、図４Ｂを参照すると、ＲＢのセットは、初期システムアクセスを実行し、物理ランダムアクセスチャネル（ＰＲＡＣＨ）４５０中でＵＬ同期を達成するために利用され得る。ＰＲＡＣＨ４５０は、ランダムシーケンスを搬送するように構成され、いかなるＵＬデータ／シグナリングも搬送することができない。各ランダムアクセスプリアンブルは、６つの連続するＲＢに対応する帯域幅を占有する。開始周波数はネットワークによって指定され得る。すなわち、ランダムアクセスプリアンブルの送信は、ある時間リソースおよび周波数リソースに制限される。周波数ホッピングは、ＰＲＡＣＨにはない。ＰＲＡＣＨ試みは単一のサブフレーム（１ｍｓ）中で搬送され、ＵＥは、フレーム（１０ｍｓ）ごとに単一のＰＲＡＣＨ試みだけを行うことができる。
【００６７】
ＬＴＥにおけるＰＵＣＣＨ、ＰＵＳＣＨ、およびＰＲＡＣＨは、公開されている「Ｅｖｏｌｖｅｄ  Ｕｎｉｖｅｒｓａｌ  Ｔｅｒｒｅｓｔｒｉａｌ  Ｒａｄｉｏ  Ａｃｃｅｓｓ（Ｅ−ＵＴＲＡ）；Ｐｈｙｓｉｃａｌ  Ｃｈａｎｎｅｌｓ  ａｎｄ  Ｍｏｄｕｌａｔｉｏｎ」と題する３ＧＰＰ  ＴＳ  ３６．２１１に関して記載されていることを諒解されたい。
【００６８】
無線プロトコルアーキテクチャは、特定の適用例に応じて様々な形態をとり得る。次に図４Ｃを参照しながら、ＬＴＥシステムの一例を提示する。本開示の一態様では、図４Ｃは、ユーザプレーンおよび制御プレーンのための無線プロトコルアーキテクチャの一例を示す概念図である。
【００６９】
図４Ｃを参照すると、ＵＥおよびｅＮＢのための無線プロトコルアーキテクチャは、レイヤ１（Ｌ１）と、レイヤ２（Ｌ２）と、レイヤ３（Ｌ３）との３つのレイヤとともに示されている。Ｌ１は最下位レイヤであり、様々な物理レイヤ信号処理機能を実装する。Ｌ１を本明細書では物理レイヤ４６６と呼ぶ。Ｌ２  ４６８は、物理レイヤ（Ｌ１）４６６の上にあり、物理レイヤ（Ｌ１）４６６を介したＵＥとｅＮＢとの間のリンクを担当する。
【００７０】
ユーザプレーンでは、Ｌ２レイヤ４６８は、ネットワーク側のｅＮＢにおいて終了する、媒体アクセス制御（ＭＡＣ）サブレイヤ４７０と、無線リンク制御（ＲＬＣ）サブレイヤ４７２と、パケットデータコンバージェンスプロトコル（ＰＤＣＰ）４７４サブレイヤとを含む。図示されていないが、ＵＥは、ネットワーク側のＰＤＮゲートウェイ３１８（たとえば、図３Ａ参照）において終了するネットワークレイヤ（たとえば、ＩＰレイヤ）と、接続の他端（たとえば、ファーエンドＵＥ、サーバなど）において終了するアプリケーションレイヤとを含むＬ２レイヤ４６８の上にいくつかの上位レイヤを有し得る。
【００７１】
ＰＤＣＰサブレイヤ４７４は、異なる無線ベアラと論理チャネルとの間で多重化を行う。ＰＤＣＰサブレイヤ４７４は、無線送信オーバーヘッドを低減するための上位レイヤデータパケットのヘッダ圧縮、データパケットを暗号化することによるセキュリティ、および／またはＵＥに対するｅＮＢ間のハンドオーバサポートを実現できる。ＲＬＣサブレイヤ４７２は、上位レイヤデータパケットのセグメンテーションおよび再統合、紛失データパケットの再送信、ならびに／またはハイブリッド自動再送要求（ＨＡＲＱ）による、順が適切でない受信を補正するデータパケットの並べ替えを行う。ＭＡＣサブレイヤ４７０は、論理チャネルとトランスポートチャネルとの間の多重化を行い、ＭＡＣサブレイヤ４７０は、ＵＥ間で１つのセルにおいて様々な無線リソース（たとえば、ＲＢ）を割り振ることを担当する。ＭＡＣサブレイヤ４７０はＨＡＲＱ動作を担当する。
【００７２】
制御プレーンでは、ＵＥおよびｅＮＢのための無線プロトコルアーキテクチャは、制御プレーンのためのヘッダ圧縮機能がないことを除いて、物理レイヤ４６６およびＬ２レイヤ４６８について実質的に同じである。制御プレーンは、レイヤ３中に無線リソース制御（ＲＲＣ）サブレイヤ４７６を含む。ＲＲＣサブレイヤ４７６は、無線リソース（すなわち、無線ベアラ）を取得することと、ｅＮＢとＵＥとの間のＲＲＣシグナリングを利用して下位レイヤを構成することとを担当する。
【００７３】
図５は、本開示の一態様による、ＭＩＭＯシステム５００における送信機システム５１０（たとえば、アクセスポイント）および受信機システム５５０（たとえば、アクセス端末）の一実施形態のブロック図である。送信機システム５１０において、いくつかのデータストリームのトラフィックデータがデータソース５１２から送信（ＴＸ）データプロセッサ５１４に供給される。各データストリームはそれぞれの送信アンテナを介して送信可能であり、ＴＸデータプロセッサ５１４は、各データストリーム用に選択された特定の符号化方式に基づいて、データストリームごとにトラフィックデータをフォーマットし、符号化し、インターリーブして、符号化データを供給し得る。一実装形態では，中継システムを送信機システム５１０と受信機システム５５０との間に挿入して、それらの間の通信を中継することができる。
【００７４】
各データストリームの符号化データは、直交周波数分割多重（ＯＦＤＭ）技法を利用してパイロットデータと多重化できる。パイロットデータは、典型的には、知られている方法で処理され、チャネル応答を推定するために受信機システムにおいて利用できる知られているデータパターンである。次いで、各データストリームの多重化されたパイロットおよび符号化データを、そのデータストリーム用に選択された特定の変調方式（たとえば、２位相シフトキーイング（ＢＰＳＫ）、４位相シフトキーイング（ＱＰＳＫ）、Ｍ位相シフトキーイング（Ｍ−ＰＳＫ）、多値直交振幅変調（Ｍ−ＱＡＭ））に基づいて変調（すなわち、シンボルマッピング）して、変調シンボルを与える。各データストリームのデータレート、符号化、および変調は、プロセッサ５３０によって実行される命令によって決定され得る。
【００７５】
次いで、すべてのデータストリームの変調シンボルがＴＸ  ＭＩＭＯプロセッサ５２０に供給され、ＴＸ  ＭＩＭＯプロセッサ５２０はさらに（たとえば、ＯＦＤＭ用に）その変調シンボルを処理し得る。次いで、ＴＸ  ＭＩＭＯプロセッサ５２０はＮT個の変調シンボルストリームをＮT個の送信機（ＴＭＴＲ）５２２ａ〜５２２ｔに供給する。いくつかの実施形態では、ＴＸ  ＭＩＭＯプロセッサ５２０は、データストリームのシンボルと、シンボルの送信元のアンテナとにビームフォーミング重みを適用する。
【００７６】
各送信機５２２は、それぞれのシンボルストリームを受信し、処理して、１つまたは複数のアナログ信号を与え、さらに、それらのアナログ信号を調整（たとえば、増幅、フィルタ処理、およびアップコンバート）して、ＭＩＭＯチャネルを介して送信するのに適した変調信号を与える。次いで、送信機５２２ａ〜５２２ｔからのＮT個の変調信号は、それぞれＮT個のアンテナ５２４ａ〜５２４ｔから送信される。
【００７７】
受信機システム５５０において、送信された変調信号はＮR個のアンテナ５５２ａ〜５５２ｒによって受信され、各アンテナ５５２からの受信信号は、それぞれの受信機（ＲＣＶＲ）５５４ａ〜５５４ｒに供給される。各受信機５５４は、それぞれの受信信号を調整（たとえば、フィルタ処理、増幅、および／またはダウンコンバート）し、調整された信号をデジタル化して、サンプルを供給し、さらにそれらのサンプルを処理して、対応する「受信」シンボルストリームを供給する。
【００７８】
次いで、ＲＸデータプロセッサ５６０は、ＮR個の受信機５５４からＮR個の受信シンボルストリームを受信し、特定の受信機処理技法に基づいて処理して、ＮT個の「検出」シンボルストリームを与える。次いで、ＲＸデータプロセッサ５６０は、各検出シンボルストリームを復調し、デインターリーブし、復号して、データストリームのトラフィックデータを復元する。ＲＸデータプロセッサ５６０による処理は、送信機システム５１０におけるＴＸ  ＭＩＭＯプロセッサ５２０およびＴＸデータプロセッサ５１４によって実行される処理を補足するものである。一実施形態では、プロセッサ５７０は、どのプリコーディング行列（以下で論じる）を使用すべきかを周期的に決定するように構成される。プロセッサ５７０は、行列インデックス部分とランク値部分とを備える逆方向リンクまたはＵＬメッセージを作成する。
【００７９】
本開示の一態様では、逆方向リンクまたはＵＬメッセージは、通信リンクおよび／または受信データストリームに関する様々なタイプの情報を備え得る。次いで、逆方向リンクまたはアップリンク（ＵＬ）メッセージは、データソース５３６からいくつかのデータストリームのトラフィックデータをも受信するＴＸデータプロセッサ５３８によって処理され、変調器５８０によって変調され、送信機５５４ａ〜５５４ｒによって調整され、送信機システム５１０に戻される。
【００８０】
送信機システム５１０において、受信機システム５５０からの変調信号は、アンテナ５２４によって受信され、受信機５２２によって調整され、復調器５４０によって復調され、ＲＸデータプロセッサ５４２によって処理されて、受信機システム５５０によって送信された逆方向リンクまたはアップリンク（ＵＬ）メッセージを抽出する。次いで、プロセッサ５３０は、ビームフォーミング重みを決定するためにどのプリコーディング行列を使用すべきかを決定し、次いで、抽出されたメッセージを処理する。
【００８１】
本開示の態様によれば、論理チャネルは、制御チャネルとトラフィックチャネルとに分類される。論理制御チャネルは、システム制御情報をブロードキャストするためのダウンリンク（ＤＬ）チャネルであるブロードキャスト制御チャネル（ＢＣＣＨ）を備える。ページング制御チャネル（ＰＣＣＨ）は、ページング情報を転送するＤＬチャネルである。マルチキャスト制御チャネル（ＭＣＣＨ）は、１つまたは複数のＭＴＣＨについてのマルチメディアブロードキャストおよびマルチキャストサービス（ＭＢＭＳ）のスケジューリングおよび制御情報を送信するために利用されるポイントツーマルチポイントＤＬチャネルである。概して、ＲＲＣ接続を確立した後、このチャネルは、ＭＢＭＳ（注：古いＭＣＣＨ＋ＭＳＣＨ）を受信するＵＥによって利用されるだけである。専用制御チャネル（ＤＣＣＨ）は、専用制御情報を送信するポイントツーポイント双方向チャネルであり、ＲＲＣ接続を有するＵＥによって利用される。論理トラフィックチャネルは、ユーザ情報を転送するための１つのＵＥに専用のポイントツーポイント双方向チャネルである専用トラフィックチャネル（ＤＴＣＨ）を備える。さらに、トラフィックデータを送信するためのポイントツーマルチポイントＤＬチャネルであるマルチキャストトラフィックチャネル（ＭＴＣＨ）を備える。
【００８２】
本開示の態様によれば、トランスポートチャネルは、ダウンリンク（ＤＬ）とアップリンク（ＵＬ）とに分類され得る。ＤＬトランスポートチャネルは、ブロードキャストチャネル（ＢＣＨ）と、ダウンリンク共有データチャネル（ＤＬ−ＳＤＣＨ）と、ＵＥ節電（ＤＲＸサイクルがネットワークによってＵＥに示される）をサポートするためのページングチャネル（ＰＣＨ）とを備え、これらのチャネルは、セル全体にわたってブロードキャストされ、他の制御／トラフィックチャネルに利用できるＰＨＹリソースにマッピングされる。ＵＬトランスポートチャネルは、ランダムアクセスチャネル（ＲＡＣＨ）と、要求チャネル（ＲＥＱＣＨ）と、アップリンク共有データチャネル（ＵＬ−ＳＤＣＨ）と、複数のＰＨＹチャネルとを備える。ＰＨＹチャネルは、ダウンリンク（ＤＬ）チャネルとアップリンク（ＵＬ）チャネルとのセットを備える。
【００８３】
ＤＬ  ＰＨＹチャネルは以下を備える。
【００８４】
共通パイロットチャネル（ＣＰＩＣＨ）
同期チャネル（ＳＣＨ）
共通制御チャネル（ＣＣＣＨ）
共有ＤＬ制御チャネル（ＳＤＣＣＨ）
マルチキャスト制御チャネル（ＭＣＣＨ）
共有ＵＬ割当てチャネル（ＳＵＡＣＨ）
肯定応答チャネル（ＡＣＫＣＨ）
ＤＬ物理共有データチャネル（ＤＬ−ＰＳＤＣＨ）
ＵＬ電力制御チャネル（ＵＰＣＣＨ）
ページングインジケータチャネル（ＰＩＣＨ）
負荷インジケータチャネル（ＬＩＣＨ）
ＵＬ  ＰＨＹチャネルは以下を備える。
【００８５】
物理ランダムアクセスチャネル（ＰＲＡＣＨ）
チャネル品質インジケータチャネル（ＣＱＩＣＨ）
肯定応答チャネル（ＡＣＫＣＨ）
アンテナサブセットインジケータチャネル（ＡＳＩＣＨ）
共有要求チャネル（ＳＲＥＱＣＨ）
ＵＬ物理共有データチャネル（ＵＬ−ＰＳＤＣＨ）
ブロードバンドパイロットチャネル（ＢＰＩＣＨ）
本開示の一態様では、シングルキャリア波形の（所与の時間に、チャネルが周波数において連続するまたは一様に離間される）ＰＡＲ特性を低いまま保つチャネル構造を提供する。
【００８６】
本開示では、以下の略語を適用する。
【００８７】
ＡＣＫ  肯定応答
ＡＭ  確認型モード
ＡＭＤ  確認型モードデータ
ＡＭＲ  適応マルチレート
ＡＲＱ  自動再送要求
ＢＣＣＨ  ブロードキャスト制御チャネル
ＢＣＨ  ブロードキャストチャネル
ＢＰＳＫ  ２位相シフトキーイング
ＢＷ  帯域幅
Ｃ−  制御−
ＣＣＥ  制御チャネル要素
ＣＣＣＨ  共通制御チャネル
ＣＣＨ  制御チャネル
ＣＣＴｒＣＨ  符号化複合トランスポートチャネル
ＣＤＭ  符号分割多重
ＣＰ  サイクリックプレフィックス
ＣＱＩ  チャネル品質インジケータ
ＣＲＣ  サイクリック冗長検査
ＣＲＳ  共通基準信号
ＣＴＣＨ  共通トラフィックチャネル
ＤＣＣＨ  専用制御チャネル
ＤＣＨ  専用チャネル
ＤＣＩ  ダウンリンク制御情報
ＤＬ  ダウンリンク
ＤＬ−ＳＣＨ  ダウンリンク共有チャネル
ＤＭ−ＲＳ  復調基準信号
ＤＲＳ  専用基準信号
ＤＳＣＨ  ダウンリンク共有チャネル
ＤＴＣＨ  専用トラフィックチャネル
Ｅ−ＣＩＤ  改良セル識別（Enhanced Cell IDentification）
ＥＰＳ  進化型パケットシステム
ＦＡＣＨ  順方向リンクアクセスチャネル
ＦＤＤ  周波数分割複信
ＦＤＭ  直交周波数分割多重
ＦＳＴＤ  周波数切替え送信ダイバーシティ
ＨＡＲＱ  ハイブリッド自動再送要求
Ｌ１  レイヤ１（物理レイヤ）
Ｌ２  レイヤ２（データリンクレイヤ）
Ｌ３  レイヤ３（ネットワークレイヤ）
ＬＩ  長さインジケータ
ＬＬＲ  対数尤度比
ＬＳＢ  最下位ビット
ＭＡＣ  媒体アクセス制御
ＭＢＭＳ  マルチメディアブロードキャストマルチキャストサービス
ＭＢＳＦＮ  マルチキャストブロードキャスト単一周波数ネットワーク
ＭＣＣＨ  ＭＢＭＳポイントツーマルチポイント制御チャネル
ＭＣＨ  マルチキャストチャネル
Ｍ−ＰＳＫ  Ｍ位相シフトキーイング
Ｍ−ＱＡＭ  多値直交振幅変調
ＭＲＷ  移動受信ウィンドウ
ＭＳＢ  最上位ビット
ＭＳＣＨ  ＭＢＭＳポイントツーマルチポイントスケジューリングチャネル
ＭＴＣＨ  ＭＢＭＳポイントツーマルチポイントトラフィックチャネル
ＮＡＫ  否定応答
ＯＦＤＭ  直交周波数分割多重
ＰＡ  電力増幅器
ＰＣＣＨ  ページング制御チャネル
ＰＣＨ  ページングチャネル
ＰＣＩ  物理セル識別子
ＰＤＣＣＨ  物理ダウンリンク制御チャネル
ＰＣＦＩＣＨ  物理制御フォーマットインジケータチャネル
ＰＤＳＣＨ  物理ダウンリンク共有チャネル
ＰＨＩＣＨ  物理ＨＡＲＱインジケータチャネル
ＰＤＵ  プロトコルデータユニット
ＰＨＹ  物理レイヤ
ＰｈｙＣＨ  物理チャネル
ＰＭＩ  プリコーディング行列インジケータ
ＰＲＡＣＨ  物理ランダムアクセスチャネル
ＰＲＢ  物理リソースブロック
ＰＳＳ／ＳＳＳ  １次／２次同期信号
ＰＵＣＣＨ  物理アップリンク制御チャネル
ＰＵＳＣＨ  物理アップリンク共有チャネル
ＱＰＳＫ  ４位相シフトキーイング
Ｒ−  リレー
ＲＡＣＨ  ランダムアクセスチャネル
ＲＢ  リソースブロック
ＲＬＣ  無線リンク制御
ＲＲＣ  無線リソース制御
ＲＥ  リソース要素
Ｒ−ＰＤＣＣＨ  リレー物理ダウンリンク制御チャネル
Ｒ−ＰＨＩＣＨ  リレー物理ＨＡＲＱインジケータチャネル
ＲＳ  基準信号
ＲＴＴ  往復時間（Round Trip Time）
Ｒｘ  受信
ＳＡＰ  サービスアクセスポイント
ＳＤＵ  サービスデータユニット
ＳＦＢＣ  空間周波数ブロックコード
ＳＨＣＣＨ  共有制御チャネル
ＳＩＮＲ  信号対干渉雑音比
ＳＮ  シーケンス番号
ＳＲ  スケジューリング要求
ＳＲＳ  サウンディング基準信号
ＳＵ−ＭＩＭＯ  シングルユーザ多入力多出力
ＳＵＦＩ  スーパーフィールド
ＴＡ  タイミングアドバンス
ＴＣＨ  トラフィックチャネル
ＴＤＤ  時分割複信
ＴＤＭ  時分割多重
ＴＦＩ  トランスポートフォーマットインジケータ
ＴＰＣ  送信電力制御
ＴＴＩ  送信時間間隔
Ｔｘ  送信
Ｕ−  ユーザ−
ＵＥ  ユーザ機器
ＵＬ  アップリンク
ＵＭ  確認なしモード
ＵＭＤ  確認なしモードデータ
ＵＭＴＳ  Ｕｎｉｖｅｒｓａｌ  Ｍｏｂｉｌｅ  Ｔｅｌｅｃｏｍｍｕｎｉｃａｔｉｏｎｓ  Ｓｙｓｔｅｍ
ＵＴＲＡ  ＵＭＴＳ地上波無線アクセス
ＵＴＲＡＮ  ＵＭＴＳ地上波無線アクセスネットワーク
本開示の態様によれば、本明細書で説明するシステム、装置および方法は、ワイヤレス通信システムにおいて制御チャネルに関連するダウンリンク（ＤＬ）許可および／またはアップリンク（ＵＬ）許可を割り当てるように構成される。本明細書で提示する様々な例は、特定の制御チャネル（たとえば、物理ダウンリンク制御チャネル（ＰＤＣＣＨ）、リレー物理ダウンリンク制御チャネル（Ｒ−ＰＤＣＣＨ）など）の場合について与えられる。しかしながら、本明細書で説明する様々な態様が任意の適切な制御チャネルに適用され得ることを諒解されたい。さらに、別段に記載されていない限り、特許請求する主題は、（１つまたは複数の）特定の制御チャネルに限定されるものではないことを諒解されたい。
【００８８】
本開示の一態様によれば、図６は、アクセスネットワーク中でＵＥ６５０と通信しているｅＮＢ６１０のブロック図である。ＤＬでは、コアネットワークからの上位レイヤパケットがコントローラ／プロセッサ６７５に与えられる。コントローラ／プロセッサ６７５は、図６に関して本明細書で説明するＬ２レイヤの機能を実装する。ＤＬでは、コントローラ／プロセッサ６７５は、様々な優先度メトリックに基づいてヘッダ圧縮と、暗号化と、パケットのセグメント化および並べ替えと、論理チャネルとトランスポートチャネルとの間の多重化と、ＵＥ６５０への無線リソース割振りとを行う。コントローラ／プロセッサ６７５はまた、ＨＡＲＱ動作と、紛失パケットの再送信と、ＵＥ６５０へのシグナリングとを担当する。一実装形態では，中継デバイス（すなわち、中継ノード（ＲＮ））をｅＮＢ６１０とＵＥ６５０との間に挿入して、それらの間の通信を中継することができる。
【００８９】
ＴＸプロセッサ６１６は、Ｌ１レイヤ（すなわち、物理レイヤ）のための様々な信号処理機能を実装する。信号処理機能は、ＵＥ６５０における前方誤り訂正（ＦＥＣ）と、様々な変調方式（たとえば、２位相シフトキーイング（ＢＰＳＫ）、４位相シフトキーイング（ＱＰＳＫ）、Ｍ位相シフトキーイング（Ｍ−ＰＳＫ）、多値直交振幅変調（Ｍ−ＱＡＭ））に基づいた信号コンスタレーションへのマッピングとを可能にするために、コーディングとインターリービングとを含む。次いで、符号化され変調されたシンボルは並列ストリームに分割される。各ストリームは、次いでＯＦＤＭサブキャリアにマッピングされ、時間領域および／または周波数領域中で基準信号（たとえば、パイロット）と多重化され、次いで逆高速フーリエ変換（ＩＦＦＴ）を利用して互いに合成されて、時間領域ＯＦＤＭシンボルストリームを搬送する物理チャネルを生成する。ＯＦＤＭストリームは、複数の空間ストリームを生成するために空間的にプリコードされる。
【００９０】
チャネル推定器６７４からのチャネル推定値は、符号化および変調方式を決定するために、ならびに空間処理のために使用され得る。チャネル推定値は、ＵＥ６５０によって送信される基準信号および／またはチャネル状態フィードバックから導出され得る。次いで、各空間ストリームは、別個の送信機６１８ＴＸを介して異なるアンテナ６２０に与えられる。各送信機６１８ＴＸは、送信のためにそれぞれの空間ストリームでＲＦキャリアを変調する。ＵＥ６５０において、各受信機６５４ＲＸは、そのそれぞれのアンテナ６５２を通して信号を受信する。各受信機６５４ＲＸは、ＲＦキャリア上に変調された情報を復元し、受信機（ＲＸ）プロセッサ６５６に情報を与える。
【００９１】
ＲＸプロセッサ６５６は、Ｌ１レイヤの様々な信号処理機能を実装するように構成される。ＲＸプロセッサ６５６は、ＵＥ６５０に宛てられた任意の空間ストリームを復元するために、情報に対して空間処理を実行する。複数の空間ストリームがＵＥ６５０に宛てられた場合、それらはＲＸプロセッサ６５６によって単一のＯＦＤＭシンボルストリームに合成され得る。ＲＸプロセッサ６５６は、次いで高速フーリエ変換（ＦＦＴ）を利用してＯＦＤＭシンボルストリームを時間領域から周波数領域に変換する。周波数領域信号は、ＯＦＤＭ信号のサブキャリアごとに別々のＯＦＤＭシンボルストリームを備える。各サブキャリア上のシンボルと基準信号とは、ｅＮＢ６１０によって送信される、可能性が最も高い信号のコンスタレーションポイントを決定することによって復元され、復調される。これらの軟判定は、チャネル推定器６５８によって計算されるチャネル推定値に基づき得る。軟判定は、次いで、物理チャネル上でｅＮＢ６１０によって最初に送信されたデータと制御信号とを復元するために復号され、デインターリーブされる。データおよび制御信号は、次いでコントローラ／プロセッサ６５９に与えられる。
【００９２】
コントローラ／プロセッサ６５９は、図４Ｃに関して前に説明したＬ２レイヤを実装する。ＵＬでは、制御／プロセッサ６５９は、コアネットワークからの上位レイヤパケットを復元するために、トランスポートチャネルと論理チャネルとの間での多重分離と、パケット再統合と、復号と、ヘッダ復元と、制御信号処理とを行う。上位レイヤパケットは、次いで、Ｌ２レイヤの上のすべてのプロトコルレイヤを表すデータシンク６６２に与えられる。また、様々な制御信号がＬ３処理のためにデータシンク６６２に与えられ得る。本開示の態様によれば、コントローラ／プロセッサ６５９は、たとえば、物理ＨＡＲＱインジケータチャネル（ＰＨＩＣＨ）動作を含むＨＡＲＱ動作をサポートするために肯定応答（ＡＣＫ）および／または否定応答（ＮＡＫ）プロトコルを利用した誤り検出を担当する。
【００９３】
ＵＬでは、データソース６６７は、コントローラ／プロセッサ６５９に上位レイヤパケットを与えるために利用される。データソース６６７は、Ｌ２レイヤ（Ｌ２）の上のすべてプロトコルレイヤを表す。ｅＮＢ６１０によるＤＬ送信に関して説明する機能と同様に、コントローラ／プロセッサ６５９は、ヘッダ圧縮と、暗号化と、パケットのセグメント化および並べ替えと、ｅＮＢ６１０による無線リソース割振りに基づいた論理チャネルとトランスポートチャネルとの間の多重化とを行うことによって、ユーザプレーンおよび制御プレーンのためのＬ２レイヤを実装する。コントローラ／プロセッサ６５９はまた、ＨＡＲＱ動作、紛失パケットの再送信、およびｅＮＢ６１０へのシグナリングを担当する。
【００９４】
ｅＮＢ６１０によって送信される基準信号またはフィードバックからの、チャネル推定器６５８によって導出されるチャネル推定値は、適切な符号化および変調方式を選択することと、空間処理を可能にすることとを行うために、ＴＸプロセッサ６６８によって利用され得る。ＴＸプロセッサ６６８によって生成される空間ストリームは、別個の送信機６５４ＴＸを介して異なるアンテナ６５２に与えられる。各送信機６５４ＴＸは、送信のためにそれぞれの空間ストリームでＲＦキャリアを変調する。
【００９５】
ＵＬ送信は、ＵＥ６５０における受信機機能に関して説明した方法と同様の方法でｅＮＢ６１０において処理される。各受信機６１８ＲＸは、そのそれぞれのアンテナ６２０を通して信号を受信する。各受信機６１８ＲＸは、ＲＦキャリア上で変調された情報を復元し、ＲＸプロセッサ６７０に情報を与える。ＲＸプロセッサ６７０はＬ１レイヤを実装する。
【００９６】
本開示の一態様では、コントローラ／プロセッサ６５９は、図４Ｃに関して本明細書で説明したＬ２レイヤを実装するように構成される。ＵＬでは、制御／プロセッサ６５９は、ＵＥ６５０からの上位レイヤパケットを復元するために、トランスポートチャネルと論理チャネルとの間での多重分離と、パケット再統合と、復号と、ヘッダ復元と、制御信号処理とを行う。コントローラ／プロセッサ６７５からの上位レイヤパケットはコアネットワークに与えられ得る。コントローラ／プロセッサ６５９はまた、ＨＡＲＱ動作をサポートするためにＡＣＫおよび／またはＮＡＫプロトコルを利用した誤り検出を担当する。
【００９７】
本開示の一実施形態では、図１に関して説明した処理システム１１４はｅＮＢ６１０を含み得る。したがって、処理システム１１４は、ＴＸプロセッサ６１６と、ＲＸプロセッサ６７０と、コントローラ／プロセッサ６７５とを含み得る。
【００９８】
本開示の別の実施形態では、図１に関して説明した処理システム１１４はＵＥ６５０を含み得る。したがって、処理システム１１４は、ＴＸプロセッサ６６８と、ＲＸプロセッサ６５６と、コントローラ／プロセッサ６５９とを含み得る。
【００９９】
図７Ａは、本開示の態様による、共通制御チャネルリソース（たとえば、ＰＤＣＣＨ、リレーＰＤＣＣＨなど）の共通探索空間に関係するアグリゲーションレベル構成(aggregation level configurations)７００、７０２および７０４の一例を示す図である。一例では、共通探索空間はいくつかのＣＣＥ（たとえば、ＬＴＥでは１６個）を備えることができる。アグリゲーションレベル構成７００は２つの候補を備えており、各々が共通探索空間におけるＣＣＥの半分を含むことができる。ＬＴＥでは、これはアグリゲーションレベル８であってよく、これにより各候補は共通探索空間の８個のＣＣＥを含む。アグリゲーションレベル構成７０２は、４個の候補を備えており、したがってＬＴＥにおけるアグリゲーションレベル４である（たとえば、候補のサイズは、アグリゲーションレベル構成７００における候補の場合の半分である）。説明したように、ＬＴＥリリース８ではこれら２つのアグリゲーションレベルが存在する。
【０１００】
本開示の態様によれば、アグリゲーションレベル構成７０４は共通探索空間に関する４未満のアグリゲーションレベルを示すことができる（たとえば、図示のようにアグリゲーションレベル２では、各候補のサイズはアグリゲーションレベル構成７０２の場合の半分である）。アグリゲーションレベル構成７０４は、連続する探索空間として共通探索空間に追加でき、それに応じてアクセスポイントがスケジュールして、対応するアクセス端末において制御データの位置を特定するのを容易にすることができる。別の態様では、アグリゲーションレベル構成は共通探索空間に関するアグリゲーションレベル１を示すことができる（たとえば、２未満のアグリゲーションレベルでは、各候補のサイズはアグリゲーションレベル構成７０４の場合の半分である）。したがって、アグリゲーションレベル１は、各々が１個のＣＣＥを備える複数の連続する候補を含むものと定義できる。アグリゲーションレベル１および２のような相対的に小さいアグリゲーションレベルの場合、相対的に多くの制御データを共通制御リソースで送信し得る。図７Ａに示すように、アグリゲーションレベル構成７００における候補０は、アグリゲーションレベル構成７０４と完全に重なり、したがって、一例では、アクセスポイントは、同じ探索空間においてアグリゲーションレベル構成７００を使用して候補０において制御データをスケジュールする場合に、構成７０４によるアグリゲーションレベルをスケジュールしないことがある。
【０１０１】
図７Ｂは、本開示の態様による、共通制御チャネルリソース（たとえば、ＰＤＣＣＨ、リレーＰＤＣＣＨなど）の共通探索空間に関係するアグリゲーションレベル構成７２０、７２２および７２４の一例を示す図である。一例では、共通探索空間はいくつかのＣＣＥ（たとえば、ＬＴＥでは１６個）を備えることができる。アグリゲーションレベル構成７００は２つの候補を備えており、各々が共通探索空間におけるＣＣＥの半分を含むことができる。ＬＴＥでは、これはアグリゲーションレベル８であってよく、これにより各候補は共通探索空間の８個のＣＣＥを含む。アグリゲーションレベル構成７０２は、４個の候補を備えており、したがってＬＴＥにおけるアグリゲーションレベル４である（たとえば、候補のサイズは、アグリゲーションレベル構成７００における候補の場合の半分である）。説明したように、ＬＴＥリリース８ではこれら２つのアグリゲーションレベルが存在する。
【０１０２】
本開示の態様によれば、アグリゲーションレベル構成７２４は共通探索空間に関する４未満のアグリゲーションレベルを示すことができる（たとえば、図示のようにアグリゲーションレベル２では、各候補のサイズはアグリゲーションレベル構成７２２の場合の半分である）。アグリゲーションレベル構成７２４は、連続しない探索空間として共通探索空間に追加でき、それに応じてアクセスポイントがスケジュールして、対応するアクセス端末において制御データの位置を特定するのを容易にすることができる。図７Ｂに示すように、アグリゲーションレベル構成７２４に対し、アグリゲーションレベル構成７２０、７２２のいずれかにおける任意の単一候補が完全に重なることはない。したがって、アクセスポイントは、同じ共通探索空間において、構成７２０によるアグリゲーションレベルの候補０で制御データをスケジュールしながらも、構成７２４によるアグリゲーションレベルをスケジュールすることがある。アグリゲーションレベル構成７２４によって定義される連続しない探索空間は、等しい数のＣＣＥが間にある等しい数のＣＣＥを備えるものとして示されているが、共通探索空間において候補ごとに４個未満の連続するＣＣＥ（たとえば、本例では２個）の実質的に任意の構成を利用できることを諒解されたい。別の例では、アグリゲーションレベル１は、各々が１個のＣＣＥを備える複数の連続しない候補を含むものと定義できる。
【０１０３】
本開示の態様によれば、図７Ａの構成７０４は、共通探索空間内で連続する２−ＣＣＥアグリゲーション候補を示しており、図７Ｂの構成７２４は、共通探索空間内で連続しない２−ＣＣＥアグリゲーション候補を示している。
【０１０４】
図８Ａは、本開示の態様によるワイヤレス通信のための方法を示す流れ図８００である。８１０において、本方法は、ダウンリンク許可情報およびアップリンク許可情報の各々につき別個の制御チャネルを提供するように構成される。８１２において、本方法は、識別子で制御チャネルを復号するように構成された受信ノードにのみ知られている識別子で制御チャネルを符号化するように構成される。８１４において、本方法は、識別子が受信ノードに知られているという情報を受信ノードに伝達するように構成される。
【０１０５】
一実装形態では、識別子は、媒体アクセス制御識別子（ＭＡＣ  ＩＤ）および無線ネットワーク一時識別子（ＲＮＴＩ）のうちの少なくとも１つを備える。
【０１０６】
一実装形態では、本方法は、複数のリソースブロックにわたって制御チャネルをスパンすることと、制御チャネルのスパン情報を受信ノードに伝達することとをさらに備えることができる。本方法は、複数のリソースブロックにわたって制御チャネルをインターリーブすることと、制御チャネルのインターリーブ情報を受信ノードに伝達することとをさらに備えることができる。一例では、ダウンリンク許可情報の制御チャネルをインターリーブすることは、アップリンク許可情報の制御チャネルをインターリーブすることに関係し得る。
【０１０７】
一実装形態では、本方法は、リソースブロックの異なるスパンにわたって各制御チャネルを別個にインターリーブすることと、リソースブロックの異なる各スパンに関する別個のインターリービングに関係する情報を含む、制御チャネルのインターリーブ情報を受信ノードに伝達し、それにより受信ノードが、制御チャネルの１つまたは複数のスパン構成に関する仮説検定を介してスパンをブラインド状態で（blindly）決定できるようにすることとをさらに備えることができる。本方法は、各制御チャネルの複数のリソースブロックをアグリゲートすることと、制御チャネルのアグリゲート情報を受信ノードに伝達することとをさらに備えることができる。
【０１０８】
一実装形態では、本方法は、選択された順序によりダウンリンク許可情報およびアップリンク許可情報とをマッピングすることをさらに備えることができる。ダウンリンク許可情報およびアップリンク許可情報は、別個のリソースブロックにマッピングされ得る。ダウンリンク許可情報のリソースブロック内でリソース空間が利用可能である場合、アップリンク許可情報のリソース空間が利用された後、ダウンリンク許可情報のリソースブロック内の利用可能なリソース空間にアップリンク許可情報がマッピングされ得る。
【０１０９】
一実装形態では、ダウンリンク許可情報はサブフレームの第１のスロットにおいて送信され、アップリンク許可情報はサブフレームの第２のスロットにおいて送信される。ダウンリンク許可情報は、物理リソースブロックペアの第１の物理リソースブロックで送信可能で、アップリンク許可情報は、物理リソースブロックペアの第２の物理リソースブロックで送信可能である。
【０１１０】
図８Ｂは、本開示の態様によるワイヤレス通信のための方法を示す流れ図８２０である。８３０において、本方法は、ダウンリンク許可情報およびアップリンク許可情報の各々につき別個の制御チャネルを受信するように構成される。８３２において、本方法は、知られている識別子で制御チャネルを復号するように構成される。８３４において、本方法は、制御チャネルの１つまたは複数のスパン構成に関するブラインド仮説検定を介して制御チャネルのスパンを決定するように構成される。
【０１１１】
一実装形態では、識別子は、媒体アクセス制御識別子（ＭＡＣ  ＩＤ）および無線ネットワーク一時識別子（ＲＮＴＩ）のうちの少なくとも１つを備える。制御チャネルのスパンは、複数のリソースブロックにわたってスパンすると決定され得る(may be determined to span over multiple resource blocks)。
【０１１２】
一実装形態では、本方法は、複数のリソースブロックにわたる制御チャネルのインターリービングを決定することをさらに備えることができる。一例では、ダウンリンク許可情報の制御チャネルのインターリービングは、アップリンク許可情報の制御チャネルのインターリービングに関係し得る。本方法は、リソースブロックの異なるスパンにわたる各制御チャネルの別個のインターリービングを決定することをさらに備えることができる。本方法は、各制御チャネルの複数のリソースブロックのアグリゲーションを決定することをさらに備えることができる。
【０１１３】
一実装形態では、本方法は、選択された順序によるダウンリンク許可情報およびアップリンク許可情報のマッピングを決定することをさらに備えることができる。ダウンリンク許可情報およびアップリンク許可情報は、別個のリソースブロックにマッピングされ得る。ダウンリンク許可情報のリソースブロック内でリソース空間が利用可能である場合、アップリンク許可情報のリソース空間が利用された後、ダウンリンク許可情報のリソースブロック内の利用可能なリソース空間にアップリンク許可情報がマッピングされ得る。
【０１１４】
一実装形態では、ダウンリンク許可情報はサブフレームの第１のスロットにおいて受信可能で、アップリンク許可情報はサブフレームの第２のスロットにおいて受信可能である。ダウンリンク許可情報は、物理リソースブロックペアの第１の物理リソースブロックで受信可能で、アップリンク許可情報は、物理リソースブロックペアの第２の物理リソースブロックで受信可能である。
【０１１５】
図８Ｃは、本開示の態様によるワイヤレス通信のための方法を示す流れ図８４０である。８５０において、本方法は、共通制御リソースに関係する共通探索空間の４未満のアグリゲーションレベルを決定するように構成される。８５２において、本方法は、アグリゲーションレベルによる連続する制御チャネル要素を含む共通探索空間における１つまたは複数の候補から制御データを受信するように構成される。
【０１１６】
一実装形態では、候補は共通探索空間内で連続しているか、候補は共通探索空間内で連続していない。共通探索空間は、上限１６個の制御チャネル要素を備える。
【０１１７】
一実装形態では、本方法は、共通制御リソースでワイヤレスデバイスに制御データを通信するための４未満のアグリゲーションレベルを選択することと、アグリゲーションレベルによる共通探索空間における連続する制御チャネル要素を含む１つまたは複数の候補においてワイヤレスデバイスに制御データを送信することとをさらに備える。
【０１１８】
図９Ａは、本開示の態様によるワイヤレス通信のために構成された装置、たとえば、図１Ａの装置１００および／または図１Ｂの装置１４０などの機能を示すブロック図９００である。装置１００、１４０は、ダウンリンク許可情報およびアップリンク許可情報の各々につき別個の制御チャネルを提供するように構成されたモジュール９１０を備える。装置１００、１４０は、識別子で制御チャネルを復号するように構成された受信ノードにのみ知られている識別子で制御チャネルを符号化するように構成されたモジュール９１２を備える。装置１００、１４０は、識別子が受信ノードに知られているという情報を受信ノードに伝達するように構成されたモジュール９１４を備える。装置１００、１４０は、上述のフローチャート中のステップの各々を実行する追加のモジュールを含み得る。したがって、上述のフローチャート中の各ステップは、１つのモジュールによって実行され得、装置１００、１４０は、それらのモジュールのうちの１つまたは複数を含み得る。一実装形態では、知られている識別子は、媒体アクセス制御識別子（ＭＡＣ  ＩＤ）および無線ネットワーク一時識別子（ＲＮＴＩ）のうちの少なくとも１つを備える。
【０１１９】
図９Ｂは、本開示の態様によるワイヤレス通信のために構成された装置、たとえば、図１Ａの装置１００および／または図１Ｂの装置１４０などの機能を示すブロック図９２０である。装置１００、１４０は、ダウンリンク許可情報およびアップリンク許可情報の各々につき別個の制御チャネルを受信するように構成されたモジュール９３０を備える。装置１００、１４０は、知られている識別子で制御チャネルを復号するように構成されたモジュール９３２を備える。装置１００、１４０は、制御チャネルの１つまたは複数のスパン構成に関するブラインド仮説検定を介して制御チャネルのスパンを決定するように構成されたモジュール９３４を備える。装置１００、１４０は、上述のフローチャート中のステップの各々を実行する追加のモジュールを含み得る。したがって、上述のフローチャート中の各ステップは、１つのモジュールによって実行され得、装置１００、１４０は、それらのモジュールのうちの１つまたは複数を含み得る。一実装形態では、知られている識別子は、媒体アクセス制御識別子（ＭＡＣ  ＩＤ）および無線ネットワーク一時識別子（ＲＮＴＩ）のうちの少なくとも１つを備える。
【０１２０】
図９Ｃは、本開示の態様によるワイヤレス通信のために構成された装置、たとえば、図１Ａの装置１００および／または図１Ｂの装置１４０などの機能を示すブロック図９４０である。装置１００、１４０は、共通制御リソースに関係する共通探索空間のアグリゲーションレベルを決定するように構成されたモジュール９５０を備える。一実装形態では、アグリゲーションレベルは４未満である。装置１００、１４０は、アグリゲーションレベルによる連続する制御チャネル要素を含む共通探索空間における１つまたは複数の候補から制御データを受信するように構成されたモジュール９５２を備える。装置１００、１４０は、上述のフローチャート中のステップの各々を実行する追加のモジュールを含み得る。したがって、上述のフローチャート中の各ステップは、１つのモジュールによって実行され得、装置１００、１４０は、それらのモジュールのうちの１つまたは複数を含み得る。
【０１２１】
図１Ａを参照すると、一構成では、ワイヤレス通信のための装置１００は、ダウンリンク許可情報およびアップリンク許可情報の各々につき別個の制御チャネルを提供するための手段と、識別子で制御チャネルを復号するように構成された受信ノードにのみ知られている識別子で制御チャネルを符号化するための手段と、識別子が受信ノードに知られているという情報を受信ノードに伝達するための手段とを提供するように構成された処理システム１１４を備える。
【０１２２】
図１Ｂを参照すると、一構成では、ワイヤレス通信のための装置１４０は、ダウンリンク許可情報およびアップリンク許可情報の各々につき別個の制御チャネルを提供するための手段と、識別子で制御チャネルを復号するように構成された受信ノードにのみ知られている識別子で制御チャネルを符号化するための手段と、識別子が受信ノードに知られているという情報を受信ノードに伝達するための手段とを提供するように構成された処理システム１５０を備える。
【０１２３】
図１Ａを参照すると、一構成では、ワイヤレス通信のための装置１００は、ダウンリンク許可情報およびアップリンク許可情報の各々につき別個の制御チャネルを受信するための手段と、知られている識別子で制御チャネルを復号するための手段と、制御チャネルの１つまたは複数のスパン構成に関するブラインド仮説検定を介して制御チャネルのスパンを決定するための手段とを提供するように構成された処理システム１１４を備える。
【０１２４】
図１Ｂを参照すると、一構成では、ワイヤレス通信のための装置１４０は、ダウンリンク許可情報およびアップリンク許可情報の各々につき別個の制御チャネルを受信するための手段と、知られている識別子で制御チャネルを復号するための手段と、制御チャネルの１つまたは複数のスパン構成に関するブラインド仮説検定を介して制御チャネルのスパンを決定するための手段とを提供するように構成された処理システム１５０を備える。
【０１２５】
図１Ａを参照すると、一構成では、ワイヤレス通信のための装置１００は、共通制御リソースに関係する共通探索空間の４未満のアグリゲーションレベルを決定するための手段と、アグリゲーションレベルによる連続する制御チャネル要素を含む共通探索空間における１つまたは複数の候補から制御データを受信するための手段とを提供するように構成された処理システム１１４を備える。
【０１２６】
図１Ｂを参照すると、一構成では、ワイヤレス通信のための装置１４０は、共通制御リソースに関係する共通探索空間の４未満のアグリゲーションレベルを決定するための手段と、アグリゲーションレベルによる連続する制御チャネル要素を含む共通探索空間における１つまたは複数の候補から制御データを受信するための手段とを提供するように構成された処理システム１５０を備える。
【０１２７】
本明細書で説明する１つまたは複数の態様によれば、本明細書で説明する機能を実行することに関して、またはかかる機能を実行するために推論を行うことができることを諒解されたい。本明細書で利用する「推論する」または「推論」という用語は、概して、事象および／またはデータを介して捕捉された観察のセットから、システム、環境、および／またはユーザの状態について推理する、またはその状態を推論するプロセスを指す。推論は、特定のコンテキストまたはアクションを識別するために採用でき、あるいは、たとえば、状態の確率分布を生成することができる。推論は、確率的、すなわち、データおよび事象の考察に基づく当該の状態の確率分布の計算とすることができる。推論は、事象および／またはデータのセットからより高いレベルの事象を構成するために採用される技法を指すこともある。そのような推論から、事象が時間的に近接して相関するか否かにかかわらず、また事象およびデータが１つまたは複数の事象およびデータの発生源に由来するかどうかにかかわらず、観測された事象および／または記憶された事象データのセットから新しい事象またはアクションが構成される。
【０１２８】
開示したプロセスにおけるステップの特定の順序または階層は、例示的な手法の一例であることを理解されたい。設計の選好に基づいて、プロセス中のステップの特定の順序または階層は本開示の範囲内のまま再構成できることを理解されたい。添付の方法クレームは、様々なステップの要素を例示的な順序で提示したものであり、提示された特定の順序または階層に限定されるものではない。
【０１２９】
情報および信号は様々な異なる技術および技法のいずれかを利用して表すことができることを、当業者は理解されよう。たとえば、上記の説明全体にわたって言及され得るデータ、命令、コマンド、情報、信号、ビット、シンボル、およびチップは、電圧、電流、電磁波、磁界または磁性粒子、光場または光学粒子、あるいはそれらの任意の組合せによって表され得る。
【０１３０】
さらに、本明細書で開示した実施形態に関して説明した様々な例示的な論理ブロック、モジュール、回路、およびアルゴリズムステップは、電子ハードウェア、コンピュータソフトウェア、または両方の組合せとして実装できることを当業者なら諒解されよう。ハードウェアとソフトウェアのこの互換性を明確に示すために、様々な例示的な構成要素、ブロック、モジュール、回路、およびステップを、上記では概してそれらの機能に関して説明した。そのような機能をハードウェアとして実装するか、ソフトウェアとして実装するかは、特定の適用例および全体的なシステムに課される設計制約に依存する。当業者は、説明した機能を特定の適用例ごとに様々な方法で実装することができるが、そのような実装の決定は、本開示の範囲からの逸脱を生じるものと解釈すべきではない。
【０１３１】
本明細書で開示した実施形態に関して説明した様々な例示的な論理ブロック、モジュール、および回路は、汎用プロセッサ、デジタル信号プロセッサ（ＤＳＰ）、特定用途向け集積回路（ＡＳＩＣ）、フィールドプログラマブルゲートアレイ（ＦＰＧＡ）または他のプログラマブル論理デバイス、個別ゲートまたはトランジスタ論理、個別ハードウェア構成要素、あるいは本明細書で説明する機能を実行するように設計されたそれらの任意の組合せを用いて実装または実行され得る。汎用プロセッサはマイクロプロセッサとすることができるが、代替として、プロセッサは、任意の従来のプロセッサ、コントローラ、マイクロコントローラ、または状態機械とすることができる。プロセッサは、コンピューティングデバイスの組合せ、たとえば、ＤＳＰとマイクロプロセッサとの組合せ、複数のマイクロプロセッサ、ＤＳＰコアと連携する１つまたは複数のマイクロプロセッサ、あるいは任意の他のそのような構成として実装することもできる。
【０１３２】
本明細書で開示した実施形態に関して説明した方法またはアルゴリズムのステップは、直接ハードウェアで実施するか、プロセッサによって実行されるソフトウェアモジュールで実施するか、またはその２つの組合せで実施することができる。ソフトウェアモジュールは、ＲＡＭメモリ、フラッシュメモリ、ＲＯＭメモリ、ＥＰＲＯＭメモリ、ＥＥＰＲＯＭメモリ、レジスタ、ハードディスク、リムーバブルディスク、ＣＤ−ＲＯＭ、または当技術分野で知られている任意の他の形態の記憶媒体中に常駐することができる。例示的な記憶媒体は、プロセッサが記憶媒体から情報を読み取り、記憶媒体に情報を書き込むことができるようにプロセッサに結合される。代替として、記憶媒体はプロセッサに一体化することができる。プロセッサおよび記憶媒体はＡＳＩＣ中に常駐することができる。ＡＳＩＣは、ＵＥ内に常駐することができる。代替として、プロセッサおよび記憶媒体はＵＥ中の個別部品として常駐することができる。
【０１３３】
以上の説明は、当業者が本明細書で説明した様々な態様を実行できるようにするために提供したものである。これらの態様に対する様々な変更が当業者には容易に明らかであり、本明細書で定義した一般的原理は他の態様に適用することができる。したがって、特許請求の範囲は、本明細書に示された態様に限定されるものではなく、言語的主張に矛盾しない最大限の範囲を与えられるべきであり、単数形の要素への言及は、明確にそう明記されていない限り、「ただ１つの」を意味するものではなく、「１つまたは複数の」を意味するものである。別段に明記されていない限り、「いくつかの」という語は１つまたは複数のを表す。
【０１３４】
当業者に知られている、または後に知られることになる、本開示全体にわたって説明された様々な態様の要素のすべての構造的および機能的均等物は、参照により本明細書に明白に組み込まれ、特許請求の範囲に包含されるものである。さらに、本明細書に開示したいかなることも、そのような開示が特許請求の範囲に明示的に具陳されているかどうかにかかわらず、公に供するものではない。いかなるクレーム要素も、その要素が「手段」という語句を利用して明白に具陳されていない限り、または方法クレームの場合には、その要素が「ステップ」という語句を利用して具陳されていない限り、米国特許法第１１２条第６項の規定に基づいて解釈されるべきではない。
【図１Ａ】
2013530626.tif 000003
【図１Ｂ】
2013530626.tif 000004
【図２】
2013530626.tif 000005
【図３Ａ】
2013530626.tif 000006
【図３Ｂ】
2013530626.tif 000007
【図４Ａ】
2013530626.tif 000008
【図４Ｂ】
2013530626.tif 000009
【図４Ｃ】
2013530626.tif 000010
【図５】
2013530626.tif 000011
【図６】
2013530626.tif 000012
【図７Ａ】
2013530626.tif 000013
【図７Ｂ】
2013530626.tif 000014
【図８Ａ】
2013530626.tif 000015
【図８Ｂ】
2013530626.tif 000016
【図８Ｃ】
2013530626.tif 000017
【図９Ａ】
2013530626.tif 000018
【図９Ｂ】
2013530626.tif 000019
【図９Ｃ】
2013530626.tif 000020
【誤訳訂正書】
【提出日】平成25年2月21日(2013.2.21)
【誤訳訂正１】
【訂正対象書類名】図面
【訂正対象項目名】全図
【訂正方法】変更
【訂正の内容】
【書類名】  図面
【図１Ａ】
2013530626.tif 000021
【図１Ｂ】
2013530626.tif 000022
【図２】
2013530626.tif 000023
【図３Ａ】
2013530626.tif 000024
【図４Ｂ】
2013530626.tif 000025
【図５Ａ】
2013530626.tif 000026
【図４Ｂ】
2013530626.tif 000027
【図４Ｃ】
2013530626.tif 000028
【図５】
2013530626.tif 000029
【図６】
2013530626.tif 000030
【図７Ａ】
2013530626.tif 000031
【図７Ｂ】
2013530626.tif 000032
【図８Ａ】
2013530626.tif 000033
【図８Ｂ】
2013530626.tif 000034
【図８Ｃ】
2013530626.tif 000035
【図９Ａ】
2013530626.tif 000036
【図９Ｂ】
2013530626.tif 000037
【図９Ｃ】
2013530626.tif 000038
【国際調査報告】
2013530626.tif 000039
2013530626.tif 000040